(57)【要約】【課題】初心者にも簡易な操作によりパンフレットやチラシの見出し等にもちいる多彩な効果文字の作成をすることを課題とする。【解決手段】複数の文字からなる文字列を入力する文字列入力部４０１と、入力された文字列の最初の文字の色を設定する開始色設定部４０２と、入力された文字列の最後の文字の色を設定する終了色設定部４０３と、文字列の文字数を計数する文字数計数部４０４と、開始色設定部４０２により設定された色から終了色設定部４０３により設定された色へ移り変わる度合いが計数した文字数に基づいて文字単位で均等に変化するように文字列のうちの最初の文字および最後の文字を除く文字の色を決定する文字色決定部４０５と、文字列に設定された色または決定された色を着色して表示する表示制御部３０７とを備える。【選択図】        図４
2006023736.tif 000002
【特許請求の範囲】
【請求項１】
数字、記号等を含む文字を表示画面上に表示する表示手段を備え、前記表示手段に表示された文字を編集加工する情報処理装置において、
複数の文字からなる文字列を入力する文字列入力手段と、
前記文字列入力手段により入力された文字列の最初の文字の色および／または当該文字の背景色を設定する開始色設定手段と、
前記文字列入力手段により入力された文字列の最後の文字の色および／または当該文字の背景色を設定する終了色設定手段と、
前記文字列入力手段により入力された文字列の文字数を計数する文字数計数手段と、
前記開始色設定手段により設定された色から前記終了色設定手段により設定された色へ移り変わる度合いが前記文字数計数手段により計数した文字数に基づいて文字単位で均等に変化するように前記文字列のうちの前記最初の文字および前記最後の文字を除く文字の色および／または当該文字の背景色を決定する文字色決定手段と、
前記表示手段を制御して、前記文字列に前記開始色設定手段または前記終了色設定手段により設定された色または前記文字色決定手段により決定された色を着色して表示する表示制御手段と、
を備えたことを特徴とする情報処理装置。
【請求項２】
さらに、前記文字色決定手段により決定された文字の色および／または当該文字の背景色を文字単位で変更する文字色変更手段を備えたことを特徴とする請求項１に記載の情報処理装置。
【請求項３】
前記表示制御手段は、前記表示手段を制御して、文字の色および／または当該文字の背景色を変更するためのダイアログ・ボックスを表示するとともに、前記ダイアログ・ボックス内に前記文字列を表示し、
前記表示制御手段により前記ダイアログ・ボックス内に表示された文字列の中の任意の文字を指定する文字指定手段を備え、
前記文字色変更手段は、前記文字指定手段により指定された文字の色および／または当該文字の背景色を変更することを特徴とする請求項２に記載の情報処理装置。
【請求項４】
数字、記号等を含む文字を表示画面上に表示する表示手段を備え、前記表示手段に表示された文字を編集加工する情報処理装置において、
複数の文字からなる文字列を入力する文字列入力手段と、
前記文字列入力手段により入力された文字列の最小文字サイズおよび当該最小サイズとなる文字を設定する最小文字サイズ設定手段と、
前記文字列入力手段により入力された文字列の最大文字サイズおよび当該最大サイズとなる文字を設定する最大文字サイズ設定手段と、
前記最小サイズ設定手段により設定された最小サイズとなる文字から前記最大サイズ設定手段により設定された最大サイズとなる文字までの文字数を計数する文字数計数手段と、
前記最小文字サイズ設定手段により設定されたサイズから前記最大文字サイズ設定手段により設定されたサイズへ移り変わる度合いが前記文字数計数手段により計数した文字数に基づいて文字単位で均等に変化するように前記文字列のうちの前記最小文字サイズの文字および前記最大文字サイズの文字を除く文字のサイズを決定する文字サイズ決定手段と、
前記表示手段を制御して、前記文字列の各文字を前記最小文字サイズ設定手段または前記最大文字サイズ設定手段により設定されたサイズまたは前記文字サイズ決定手段により決定されたサイズに変更して表示する表示制御手段と、
を備えたことを特徴とする情報処理装置。
【請求項５】
さらに、前記文字列の各文字の文字サイズをどのような配置で変更するかの配置パターンを設定する配置パターン設定手段を備え、
前記表示制御手段は、前記配置パターン設定手段により設定された配置パターンとなるように前記文字列の各文字のサイズを変更することを特徴とする請求項４に記載の情報処理装置。
【請求項６】
数字、記号等を含む文字を表示画面上に表示し、表示された文字を編集加工する情報処理方法において、
複数の文字からなる文字列を入力する文字列入力工程と、
前記文字列入力工程により入力された文字列の最初の文字の色および／または当該文字の背景色を設定する開始色設定工程と、
前記文字列入力工程により入力された文字列の最後の文字の色および／または当該文字の背景色を設定する終了色設定工程と、
前記文字列入力工程により入力された文字列の文字数を計数する文字数計数工程と、
前記開始色設定工程により設定された色から前記終了色設定工程により設定された色へ移り変わる度合いが前記文字数計数工程により計数した文字数に基づいて文字単位で均等に変化するように前記文字列のうちの前記最初の文字および前記最後の文字を除く文字の色および／または当該文字の背景色を決定する文字色決定工程と、
前記文字列に前記開始色設定工程または前記終了色設定工程により設定された色または前記文字色決定工程により決定された色を着色して表示する表示制御工程と、
を含んだことを特徴とする情報処理方法。
【請求項７】
さらに、前記文字色決定工程により決定された文字の色および／または当該文字の背景色を文字単位で変更する文字色変更工程を含んだことを特徴とする請求項６に記載の情報処理方法。
【請求項８】
前記表示制御工程は、文字の色および／または当該文字の背景色を変更するためのダイアログ・ボックスを表示するとともに、前記ダイアログ・ボックス内に前記文字列を表示し、
前記表示制御工程により前記ダイアログ・ボックス内に表示された文字列の中の任意の文字を指定する文字指定工程を含み、
前記文字色変更工程は、前記文字指定工程により指定された文字の色および／または当該文字の背景色を変更することを特徴とする請求項７に記載の情報処理方法。
【請求項９】
数字、記号等を含む文字を表示画面上に表示し、表示された文字を編集加工する情報処理方法において、
複数の文字からなる文字列を入力する文字列入力工程と、
前記文字列入力工程により入力された文字列の最小文字サイズおよび当該最小サイズとなる文字を設定する最小文字サイズ設定工程と、
前記文字列入力工程により入力された文字列の最大文字サイズおよび当該最大サイズとなる文字を設定する最大文字サイズ設定工程と、
前記最小サイズ設定工程により設定された最小サイズとなる文字から前記最大サイズ設定工程により設定された最大サイズとなる文字までの文字数を計数する文字数計数工程と、
前記最小文字サイズ設定工程により設定されたサイズから前記最大文字サイズ設定工程により設定されたサイズへ移り変わる度合いが前記文字数計数工程により計数した文字数に基づいて文字単位で均等に変化するように前記文字列のうちの前記最小文字サイズの文字および前記最大文字サイズの文字を除く文字のサイズを決定する文字サイズ決定工程と、
前記文字列の各文字を前記最小文字サイズ設定工程または前記最大文字サイズ設定工程により設定されたサイズまたは前記文字サイズ決定工程により決定されたサイズに変更して表示する表示制御工程と、
を含んだことを特徴とする情報処理方法。
【請求項１０】
さらに、前記文字列の各文字の文字サイズをどのような配置で変更するかの配置パターンを設定する配置パターン設定工程を含み、
前記表示制御工程は、前記配置パターン設定工程により設定された配置パターンとなるように前記文字列の各文字のサイズを変更することを特徴とする請求項９に記載の情報処理方法。
【請求項１１】
前記請求項６〜１０に記載された方法をコンピュータに実行させるプログラムを記録したことを特徴とするコンピュータ読み取り可能な記録媒体。
【発明の詳細な説明】
【技術分野】
【０００１】
この発明は、文字を表示画面上に表示し、表示された文字を編集加工する情報処理装置、情報処理方法およびその方法をコンピュータに実行させるプログラムを記録したコンピュータ読み取り可能な記録媒体に関する。
【背景技術】
【０００２】
従来、文字列を効果的に表示するための方法として、グラデーション処理や文字列全体において各文字のサイズを変更する技術、たとえば、右から左へ文字が次第に大きくなるような見出しの文字列を作成する技術が存在する。
【発明の開示】
【発明が解決しようとする課題】
【０００３】
しかしながら、上記の従来技術にあっては、文字列全体あるいは１文字ごとにグラデーション処理を施すため、１文字のなかにおいても位置によって色が異なることになる。これでは、グラデーション処理のやり方によっては、色むらのように感じられ、パンフレットやチラシの見出しにはあまり適さないといった問題点があった。
【０００４】
また、通常、パンフレットやチラシの見出しは文字列の一部の文字だけを色や大きさを変えて強調するのが一般的である。たとえば、「出血大サービス」といったチラシの見出しの場合、「血」の部分だけを赤く着色することで見出しの内容を強調したり、「大」の部分だけを大きなサイズすることで、見る側の注意を喚起したりする場合があるが、文字列全体にわたってグラデーション処理を施すと、その文字列の中の任意の文字のも別の色彩に変更することは困難であるといった問題点があった。
【０００５】
さらに、文字のサイズを変更する際、たとえば、右から左へ文字が次第に大きくなるような見出しの場合にも、文字自体をゆがめて（文字の右側よりも左側のが大きくなるように）作成してしまうため、文字が認識しづらくなり、グラデーション処理と同様に、パンフレットやチラシの見出しにはあまり適さないといった問題点があった。
【０００６】
この発明は、上述した従来例による問題を解決するため、初心者にも簡易な操作によりパンフレットやチラシの見出し等にもちいる多彩な効果文字の作成が可能な情報処理装置、情報処理方法およびその方法をコンピュータに実行させるプログラムを記録したコンピュータ読み取り可能な記録媒体を提供することを目的とする。
【課題を解決するための手段】
【０００７】
上述した課題を解決し、目的を達成するため、請求項１に係る情報処理装置は、数字、記号等を含む文字を表示画面上に表示する表示手段を備え、前記表示手段に表示された文字を編集加工する情報処理装置において、複数の文字からなる文字列を入力する文字列入力手段と、前記文字列入力手段により入力された文字列の最初の文字の色および／または当該文字の背景色を設定する開始色設定手段と、前記文字列入力手段により入力された文字列の最後の文字の色および／または当該文字の背景色を設定する終了色設定手段と、前記文字列入力手段により入力された文字列の文字数を計数する文字数計数手段と、前記開始色設定手段により設定された色から前記終了色設定手段により設定された色へ移り変わる度合いが前記文字数計数手段により計数した文字数に基づいて文字単位で均等に変化するように前記文字列のうちの前記最初の文字および前記最後の文字を除く文字の色および／または当該文字の背景色を決定する文字色決定手段と、前記表示手段を制御して、前記文字列に前記開始色設定手段または前記終了色設定手段により設定された色または前記文字色決定手段により決定された色を着色して表示する表示制御手段と、を備えたことを特徴とする。
【０００８】
この請求項１の発明によれば、各文字の色は単色のままで、文字列全体としてグラデーション効果が生じるようなグラデーション効果を簡易な操作でおこなうことができ、容易にパンフレットやチラシの見出し等にもちいる多彩な効果文字の作成が可能である。
【０００９】
また、請求項２に係る情報処理装置は、請求項１の発明において、さらに、前記文字色決定手段により決定された文字の色および／または当該文字の背景色を文字単位で変更する文字色変更手段を備えたことを特徴とする。
【００１０】
この請求項２の発明によれば、文字列全体としてグラデーション効果を保ちつつ、強調したい文字のみを別の色等で着色することができ、容易にパンフレットやチラシの見出し等にもちいる多彩な効果文字の作成が可能である。
【００１１】
また、請求項３に係る情報処理装置は、請求項２の発明において、前記表示手段を制御して、文字の色および／または当該文字の背景色を変更するためのダイアログ・ボックスを表示するとともに、前記ダイアログ・ボックス内に前記文字列を表示し、前記表示制御手段により前記ダイアログ・ボックス内に表示された文字列の中の任意の文字を指定する文字指定手段を備え、前記文字色変更手段は、前記文字指定手段により指定された文字の色および／または当該文字の背景色を変更することを特徴とする。
【００１２】
この請求項３の発明によれば、ダイアログ・ボックス内に文字列を表示しそこから文字に指定をすることができるので、ダイアログ・ボックスの切替等の煩雑さを解消し、強調したい文字のみを別の色等で着色操作をより簡易にすることができ、容易にパンフレットやチラシの見出し等にもちいる多彩な効果文字の作成が可能である。
【００１３】
また、請求項４に係る情報処理装置は、数字、記号等を含む文字を表示画面上に表示する表示手段を備え、前記表示手段に表示された文字を編集加工する情報処理装置において、複数の文字からなる文字列を入力する文字列入力手段と、前記文字列入力手段により入力された文字列の最小文字サイズおよび当該最小サイズとなる文字を設定する最小文字サイズ設定手段と、前記文字列入力手段により入力された文字列の最大文字サイズおよび当該最大サイズとなる文字を設定する最大文字サイズ設定手段と、前記最小サイズ設定手段により設定された最小サイズとなる文字から前記最大サイズ設定手段により設定された最大サイズとなる文字までの文字数を計数する文字数計数手段と、前記最小文字サイズ設定手段により設定されたサイズから前記最大文字サイズ設定手段により設定されたサイズへ移り変わる度合いが前記文字数計数手段により計数した文字数に基づいて文字単位で均等に変化するように前記文字列のうちの前記最小文字サイズの文字および前記最大文字サイズの文字を除く文字のサイズを決定する文字サイズ決定手段と、前記表示手段を制御して、前記文字列の各文字を前記最小文字サイズ設定手段または前記最大文字サイズ設定手段により設定されたサイズまたは前記文字サイズ決定手段により決定されたサイズに変更して表示する表示制御手段と、を備えたことを特徴とする。
【００１４】
この請求項４の発明によれば、文字の形状はそのままで文字のサイズのみを均等に変化させることで、文字の見やすさを保持したまま、文字列全体として印象的な配置とすることができ、容易にパンフレットやチラシの見出し等にもちいる多彩な効果文字の作成が可能である。
【００１５】
また、請求項５に係る情報処理装置は、請求項４の発明において、さらに、前記文字列の各文字の文字サイズをどのような配置で変更するかの配置パターンを設定する配置パターン設定手段を備え、前記表示制御手段が、前記配置パターン設定手段により設定された配置パターンとなるように前記文字列の各文字のサイズを変更することを特徴とする。
【００１６】
この請求項５の発明によれば、配置パターンを選択するという簡易な操作で文字の配置を自由にレイアウトすることができ、容易にパンフレットやチラシの見出し等にもちいる多彩な効果文字の作成が可能である。
【００１７】
また、請求項６に係る情報処理方法は、数字、記号等を含む文字を表示画面上に表示し、表示された文字を編集加工する情報処理方法において、複数の文字からなる文字列を入力する文字列入力工程と、前記文字列入力工程により入力された文字列の最初の文字の色および／または当該文字の背景色を設定する開始色設定工程と、前記文字列入力工程により入力された文字列の最後の文字の色および／または当該文字の背景色を設定する終了色設定工程と、前記文字列入力工程により入力された文字列の文字数を計数する文字数計数工程と、前記開始色設定工程により設定された色から前記終了色設定工程により設定された色へ移り変わる度合いが前記文字数計数工程により計数した文字数に基づいて文字単位で均等に変化するように前記文字列のうちの前記最初の文字および前記最後の文字を除く文字の色および／または当該文字の背景色を決定する文字色決定工程と、前記文字列に前記開始色設定工程または前記終了色設定工程により設定された色または前記文字色決定工程により決定された色を着色して表示する表示制御工程と、を含んだことを特徴とする。
【００１８】
この請求項６の発明によれば、各文字の色は単色のままで、文字列全体としてグラデーション効果が生じるようなグラデーション効果を簡易な操作でおこなうことができ、容易にパンフレットやチラシの見出し等にもちいる多彩な効果文字の作成が可能である。
【００１９】
また、請求項７に係る画像処理方法は、請求項６の発明において、さらに、前記文字色決定工程により決定された文字の色および／または当該文字の背景色を文字単位で変更する文字色変更工程を含んだことを特徴とする。
【００２０】
この請求項７の発明によれば、文字列全体としてグラデーション効果を保ちつつ、強調したい文字のみを別の色等で着色することができ、容易にパンフレットやチラシの見出し等にもちいる多彩な効果文字の作成が可能である。
【００２１】
また、請求項８に係る画像処理方法は、請求項７の発明において、前記表示制御工程は、文字の色および／または当該文字の背景色を変更するためのダイアログ・ボックスを表示するとともに、前記ダイアログ・ボックス内に前記文字列を表示し、前記表示制御工程により前記ダイアログ・ボックス内に表示された文字列の中の任意の文字を指定する文字指定工程を含み、前記文字色変更工程は、前記文字指定工程により指定された文字の色および／または当該文字の背景色を変更することを特徴とする。
【００２２】
この請求項８の発明によれば、ダイアログ・ボックス内に文字列を表示しそこから文字に指定をすることができるので、ダイアログ・ボックスの切替等の煩雑さを解消し、強調したい文字のみを別の色等で着色操作をより簡易にすることができ、容易にパンフレットやチラシの見出し等にもちいる多彩な効果文字の作成が可能である。
【００２３】
また、請求項９の発明に係る情報処理方法は、数字、記号等を含む文字を表示画面上に表示し、表示された文字を編集加工する情報処理方法において、複数の文字からなる文字列を入力する文字列入力工程と、前記文字列入力工程により入力された文字列の最小文字サイズおよび当該最小サイズとなる文字を設定する最小文字サイズ設定工程と、前記文字列入力工程により入力された文字列の最大文字サイズおよび当該最大サイズとなる文字を設定する最大文字サイズ設定工程と、前記最小サイズ設定工程により設定された最小サイズとなる文字から前記最大サイズ設定工程により設定された最大サイズとなる文字までの文字数を計数する文字数計数工程と、前記最小文字サイズ設定工程により設定されたサイズから前記最大文字サイズ設定工程により設定されたサイズへ移り変わる度合いが前記文字数計数工程により計数した文字数に基づいて文字単位で均等に変化するように前記文字列のうちの前記最小文字サイズの文字および前記最大文字サイズの文字を除く文字のサイズを決定する文字サイズ決定工程と、前記文字列の各文字を前記最小文字サイズ設定工程または前記最大文字サイズ設定工程により設定されたサイズまたは前記文字サイズ決定工程により決定されたサイズに変更して表示する表示制御工程と、を含んだことを特徴とする。
【００２４】
この請求項９の発明によれば、文字の形状はそのままで文字のサイズのみを均等に変化させることで、文字の見やすさを保持したまま、文字列全体として印象的な配置とすることができ、容易にパンフレットやチラシの見出し等にもちいる多彩な効果文字の作成が可能である。
【００２５】
また、請求項１０の発明に係る情報処理装置は、請求項９において、さらに、前記文字列の各文字の文字サイズをどのような配置で変更するかの配置パターンを設定する配置パターン設定工程を含み、前記表示制御工程は、前記配置パターン設定工程により設定された配置パターンとなるように前記文字列の各文字のサイズを変更することを特徴とする。
【００２６】
この請求項１０の発明によれば、配置パターンを選択するという簡易な操作で文字の配置を自由にレイアウトすることができ、容易にパンフレットやチラシの見出し等にもちいる多彩な効果文字の作成が可能である。
【００２７】
また、請求項１１の発明に係る記憶媒体は、請求項６〜１０に記載された方法をコンピュータに実行させるプログラムを記録したことで、そのプログラムを機械読み取り可能となり、これによって、請求項６〜１０の動作をコンピュータによって実現することが可能である。
【発明の効果】
【００２８】
以上説明したように、請求項１の発明によれば、各文字の色は単色のままで、文字列全体としてグラデーション効果が生じるようなグラデーション効果を簡易な操作でおこなうことができ、容易にパンフレットやチラシの見出し等にもちいる多彩な効果文字の作成が可能な情報処理装置が得られるという効果を奏する。
【００２９】
また、請求項２の発明によれば、文字列全体としてグラデーション効果を保ちつつ、強調したい文字のみを別の色等で着色することができ、容易にパンフレットやチラシの見出し等にもちいる多彩な効果文字の作成が可能な情報処理装置が得られるという効果を奏する。
【００３０】
また、請求項３の発明によれば、ダイアログ・ボックス内に文字列を表示しそこから文字の指定をすることができるので、ダイアログ・ボックスの切替等の煩雑さを解消し、強調したい文字のみを別の色等で着色操作をより簡易にすることができ、容易にパンフレットやチラシの見出し等にもちいる多彩な効果文字の作成が可能な情報処理装置が得られるという効果を奏する。
【００３１】
また、請求項４の発明によれば、文字の形状はそのままで文字のサイズのみを均等に変化させることで、文字の見やすさを保持したまま、文字列全体として印象的な配置とすることができ、容易にパンフレットやチラシの見出し等にもちいる多彩な効果文字の作成が可能な情報処理装置が得られるという効果を奏する。
【００３２】
また、請求項５の発明によれば、配置パターンを選択するという簡易な操作で文字の配置を自由にレイアウトすることができ、容易にパンフレットやチラシの見出し等にもちいる多彩な効果文字の作成が可能な情報処理装置が得られるという効果を奏する。
【００３３】
また、請求項６の発明によれば、各文字の色は単色のままで、文字列全体としてグラデーション効果が生じるようなグラデーション効果を簡易な操作でおこなうことができ、容易にパンフレットやチラシの見出し等にもちいる多彩な効果文字の作成が可能な情報処理方法が得られるという効果を奏する。
【００３４】
また、請求項７の発明によれば、文字列全体としてグラデーション効果を保ちつつ、強調したい文字のみを別の色等で着色することができ、容易にパンフレットやチラシの見出し等にもちいる多彩な効果文字の作成が可能な情報処理方法が得られるという効果を奏する。
【００３５】
また、請求項８の発明によれば、ダイアログ・ボックス内に文字列を表示しそこから文字の指定をすることができるので、ダイアログ・ボックスの切替等の煩雑さを解消し、強調したい文字のみを別の色等で着色操作をより簡易にすることができ、容易にパンフレットやチラシの見出し等にもちいる多彩な効果文字の作成が可能な情報処理方法が得られるという効果を奏する。
【００３６】
また、請求項９の発明によれば、文字の形状はそのままで文字のサイズのみを均等に変化させることで、文字の見やすさを保持したまま、文字列全体として印象的な配置とすることができ、容易にパンフレットやチラシの見出し等にもちいる多彩な効果文字の作成が可能な情報処理方法が得られるという効果を奏する。
【００３７】
また、請求項１０の発明によれば、配置パターンを選択するという簡易な操作で文字の配置を自由にレイアウトすることができ、容易にパンフレットやチラシの見出し等にもちいる多彩な効果文字の作成が可能な情報処理方法が得られるという効果を奏する。
【００３８】
また、請求項１１の発明に係る記憶媒体は、請求項６〜１０に記載された方法をコンピュータに実行させるプログラムを記録したことで、そのプログラムを機械読み取り可能となり、これによって、請求項６〜１０の動作をコンピュータによって実現することが可能な記録媒体が得られるという効果を奏する。
【発明を実施するための最良の形態】
【００３９】
以下に添付図面を参照して、この発明に係る情報処理装置、情報処理方法およびその方法をコンピュータに実行させるプログラムを記録したコンピュータ読み取り可能な記録媒体の好適な実施の形態を詳細に説明する。
【００４０】
（実施の形態１）
まず、この発明の実施の形態１による情報処理装置を含む画像付ドキュメント作成システム全体の構成を説明する。図１はこの発明の実施の形態１による情報処理装置を含む画像付ドキュメント作成システム全体の構成を機能的に示す説明図である。この画像付ドキュメント作成システムは、図１に機能的に示したように、入力部１０１と、加工部１０２と、出力部１０３とから構成される情報処理装置１００と、ホストコンピュータシステム１０５とがＬＡＮ等のネットワークで接続されている。
【００４１】
入力部１０１は、画像の取込み処理をおこなうものであり、たとえば、スキャナやＩＣカード、あるいはデジタルスチルカメラ、フォトＣＤ読取装置等を含むものである。入力部１０１は画像を取込み、取込んだ画像を所定のファイル形式に変換した後、加工部１０２へ送信する。
【００４２】
加工部１０２は、入力部１０１により取込まれた画像を登録、削除、変更等の加工処理をするものであり、たとえば、パーソナルコンピュータ（ＰＣ）等をもちいておこなうものである。また、加工部１０２内に設けられた、あるいは、加工部１０２に外付けされた画像データ記憶部１０４は、たとえば、ＰＣに内蔵のハードディスクや、フレキシブルディスク、書き換え可能なＣＤ−ＲＯＭ、ＭＯ、ＤＶＤ等、加工部１０２において加工された画像データを記憶するものである。
【００４３】
さらに加工部１０２は、画像データ記憶部１０４に記憶された画像データを検索し、検索した画像データを他のドキュメントに貼付け、そのドキュメントをディスプレイに表示するように表示制御をおこなったり、出力部１０３に印刷するように印刷制御をおこなったりする。
【００４４】
出力部１０３は、加工部１０２により印刷制御された画像データおよび画像データを含むドキュメントを印刷処理するものである。たとえば、白黒およびフルカラーの印刷が可能なレーザープリンタやデジタル複写機等が含まれる。また、出力部１０３には、名刺を印刷したり、ＩＤカード等のカードを印刷した後そのカードをラミネート加工する機能等を有するプリンタ等も含まれる。
【００４５】
ホストコンピュータシステム１０５は、加工部１０２であるＰＣとＬＡＮ等のネットワークで接続されており、ホストコンピュータ１０６と、ホストコンピュータ１０６とネットワークで接続された複数の端末装置１０７とからなる。ホストコンピュータ１０６には、たとえば社内の人事情報に関する人事情報ファイル１０８が記憶されており、各端末装置１０７からはその人事情報ファイル１０８にアクセルすることができる。
【００４６】
また、加工部１０２と人事情報ファイル１０８とはその情報を互いにリンクできるようになっており、端末装置１０７から社員番号等の人事情報を入力することにより、人事情報ファイル１０８を介して加工部１０２の画像データ記憶部１０４に記憶された画像データを検索することも可能である。
【００４７】
画像付ドキュメント作成システムの具体的な応用例としては、たとえば、顔写真付の名刺を作成する名刺作成システムや、商品写真やスタッフの顔写真を掲載した案内状等の葉書を作成する葉書作成システムや、写真付の身分証明書（ＩＤカード）を作成するＩＤカード作成システムや、企画書や広告チラシやカタログ等のリーフレットを作成するリーフレット作成システムや、写真付のカードを作成するカード作成システムや、社員の写真や履歴書、自己申告書等の顔写真付人事台帳、住所、地図等を作成、管理する人事情報システムや、中古車の写真付情報を検索する中古車検索システムや、仕入れ情報を管理する仕入れ情報企画購入システムや、工程管理、工事台帳との合成による土木建設業向けシステムや、三次元ＣＡＤとの合成による建設完成予想図システム等が含まれる。これらのシステムは当然、カラー写真等のカラー画像をもちいて作成管理するカラーシステムとしてももちいることができる。
【００４８】
つぎに、情報処理装置１００のハードウエア構成について説明する。図２は、実施の形態１による情報処理装置１００のハードウエア構成を示すブロック図である。
【００４９】
図２において、２０１はシステム全体を制御するＣＰＵを、２０２はブートプログラム等を記憶したＲＯＭを、２０３はＣＰＵのワークエリアとして使用されるＲＡＭを、２０４はＣＰＵ２０１の制御にしたがってＨＤ（ハードディスク）２０５に対するデータのリード／ライトを制御するＨＤＤ（ハードディスクドライブ）を、２０５はＨＤＤ２０４の制御で書き込まれたデータを記憶するＨＤを、２０６はＣＰＵ２０１の制御にしたがってＦＤ（フレキシブルディスク）２０７に対するデータのリード／ライトを制御するＦＤＤ（フレキシブルディスクドライブ）を、２０７はＦＤＤ２０６の制御で書き込まれたデータを記憶する着脱自在のＦＤを、２０８は文字、画像等を含むドキュメントや機能情報等を表示するディスプレイをそれぞれ示している。
【００５０】
また、２０９は通信回線２１０を介してネットワークＮＥＴに接続され、そのネットワークＮＥＴと内部のインターフェイスを司るインターフェイス（Ｉ／Ｆ）を、２１１は文字、数値、各種指示等の入力のためのキーを備えたキーボードを、２１２はカーソルの移動や範囲選択等をおこなうマウスを、２１３はＣＣＤをもちいた画像を撮影するデジタルスチルカメラを、２１４はドキュメント等を印刷するプリンタを、２１５は上記各部を接続するためのバスをそれぞれ示している。なお、２１３は、画像を光学的に読み取るスキャナでもよい。
【００５１】
また、図３は、実施の形態１による情報処理装置１００の構成を機能的に示すブロック図である。図３において、加工部１０２は、画像データ記憶部１０４のほか、操作指示部３０１と、画像登録部３０２と、画像削除部３０３と、画像変更部３０４と、画像検索部３０５と、画像貼付部３０６と、表示制御部３０７と、表示部３０８と、印刷制御部３０９等を含む構成である。
【００５２】
操作指示部３０１は、表示部３０８の表示内容にしたがって、画像登録部３０２、画像削除部３０３、画像変更部３０４、画像検索部３０５、画像貼付部３０６、表示制御部３０７、印刷制御部３０９の各部に操作の指示をおこなうものである。たとえば、キーボード２１１や、マウス２１２等のポインティングデバイスを含むものである。
【００５３】
画像登録部３０２は、入力部１０１から送信された画像データを、ファイル名等の所定のデータを付加することにより画像データファイルとして登録し、画像データ記憶部１０４へ記憶するものである。画像削除部３０３は、操作指示部３０１からの削除指示にしたがって、画像データ記憶部１０４にすでに記憶されている画像データを画像データ記憶部１０４から削除するものである。
【００５４】
画像変更部３０４は、操作指示部３０１からの変更指示にしたがって、画像データ記憶部１０４にすでに記憶されている画像データファイルの画像データに変更を加え、変更後の画像データを再度画像データ記憶部１０４に記憶するものである。画像変更部３０４の詳細については後述する。
【００５５】
画像検索部３０５は、操作指示部３０１からの検索指示にしたがって、画像データ記憶部１０４にすでに記憶されている画像データファイルのうち、所望の画像データファイルを検索するものである。また、画像貼付部３０６は、操作指示部３０１からの画像貼付指示にしたがって、画像データ記憶部１０４にすでに記憶されている画像データをドキュメントに貼付け処理をおこなうものである。
【００５６】
表示制御部３０７は、操作指示部３０１からの表示指示にしたがって、画像データ記憶部１０４に記憶された画像データファイルの画像や当該画像を縮小した縮小画像等を表示部３０８の表示画面上に表示させるように制御するものである。表示制御部３０７の詳細については後述する。
【００５７】
印刷制御部３０９は、操作指示部３０１からの印刷指示にしたがって、画像データあるいは画像付ドキュメント等の印刷データを出力部１０３へ送信する。また、出力部の操作制御、たとえば印刷枚数の設定等も操作指示部３０１からの操作指示にしたがっておこなう。
【００５８】
画像登録部３０２、画像削除部３０３、画像変更部３０４、画像検索部３０５、画像貼付部３０６、表示制御部３０７、印刷制御部３０９はそれぞれ、ＲＯＭ２０２、ＲＡＭ２０３またはハードディスク２０５、フレキシブルディスク２０７等の記録媒体に記録されたＯＳ、アプリケーションプログラム等のプログラムに記載された命令にしたがってＣＰＵ２０１等が命令処理を実行することにより、各部の機能を実現するものである。
【００５９】
また、表示部３０８は、表示制御部３０７による表示制御に基づき、画像や文字列を含むドキュメント等を表示するものである。たとえばディスプレイ２０８であり、ディスプレイ２０８はＣＲＴや液晶ディスプレイ等を含むものである。
【００６０】
つぎに、画像変更部３０４および表示制御部３０７の構成についてより詳細に説明する。図４は実施の形態１による情報処理装置の画像変更部３０４、表示制御部３０７およびそれら周辺部の構成を機能的に示すブロック図である。図４に示すように、画像変更部３０４は、文字列入力部４０１と、開始色設定部４０２と、終了色設定部４０３と、文字数計数部４０４と、文字色決定部４０５と、文字指定部４１０と、文字色変更部４１１とを含む構成となっている。
【００６１】
文字列入力部４０１は、複数の文字からなる文字列を入力する入力部である。また、開始色設定部４０２は、文字列入力部４０１により入力された文字列の最初の文字の色および／または当該文字の背景色を設定する設定部である。文字列の最初の文字とは、通常、横書き文書であれば左端の文字を示し、縦書き文書であれば上端の文字を示す。
【００６２】
終了色設定部４０３は、文字列入力部４０１により入力された文字列の最後の文字の色および／または当該文字の背景色を設定する設定部である。文字列の最後の文字とは、通常、横書き文書であれば右端の文字を示し、縦書き文書であれば上端の文字を示す。
【００６３】
文字数計数部４０４は、文字列入力手段４０１により入力された文字列の文字数を計数する。計数された結果は、図示は省略するが、文字数計数部４０４内にある記憶部に記憶される。
【００６４】
文字色決定部４０５は、開始色設定部４０２により設定された色から終了色設定部４０３により設定された色へ移り変わる度合いが文字数計数部４０４により計数した文字数に基づいて文字単位で均等に変化するように文字列のうちの最初の文字および最後の文字を除く文字の色および／または当該文字の背景色を決定する。
【００６５】
また、表示制御部３０７は、表示部３０８を制御して、文字列に開始色設定部４０２または終了色設定部４０３により設定された色または文字色決定部４０５により決定された色を着色して表示画面に表示する。
【００６６】
また、表示制御部３０７は、表示部３０８を制御して、文字の色および／または当該文字の背景色を変更するためのダイアログ・ボックス５００を表示するとともに、ダイアログ５００内に前記文字列を表示する。
【００６７】
また、文字指定部４１０は、表示制御部３０７によりダイアログ・ボックス５００内に表示された文字列の中の任意の文字を指定する。
【００６８】
文字色変更部４１１は、文字色決定部４０５により決定された文字の色および／または当該文字の背景色を文字単位で変更する。また、文字色変更部４１１は、文字指定部４１０により指定された文字の色および／または当該文字の背景色を変更する。
【００６９】
文字列入力部４０１、開始色設定部４０２、終了色設定部４０３、文字数計数部４０４、文字色決定部４０５、文字指定部４１０、文字色変更部４１１はそれぞれ、ＲＯＭ２０２、ＲＡＭ２０３またはハードディスク２０５、フレキシブルディスク２０７等の記録媒体に記録されたＯＳ、アプリケーションプログラム等のプログラムに記載された命令にしたがってＣＰＵ２０１等が命令処理を実行することにより、各部の機能を実現するものである。
【００７０】
つぎに、具体的な表示例をもちいて情報処理装置の操作の内容および表示画面の内容について説明する。図５〜図７は実施の形態１による情報処理装置の表示部３０８に表示されるダイアログ・ボックス５００の一例を示す説明図である。
【００７１】
図５において、ダイアログ・ボックス５００は、文字列入力部４０１としての文字列を入力するための文字列入力欄５０１と、文字列を回転させて表示する場合の角度を数値で入力する回転角度入力欄５０２と、文字列の文字色を設定するための文字色設定欄５０３と、文字列の背景色を設定するための背景色設定欄５０４と、文字列の文字の形状、すなわち、文字列における各文字の大きさについて設定するための形状設定欄５０５と、文字色・背景色を文字単位で設定する場合にチェックするチェックボックス５０６と、文字を個別に設定するための「文字個別設定」ボタン５０７と、文字列の表示位置に関する情報を表示するための「コントロール位置」ボタン５０８から構成される。
【００７２】
図５においては、文字列入力欄５０１には「出血大サービス」という文字列が入力されており、回転角度入力欄５０２には「０」が入力されている。回転角度入力欄５０２は文字列を回転させて表示する場合の角度を数値で入力するものであり、回転角度入力欄５０２に、たとえば「９０」を入力すると、文字列が時計回りに垂直に回転する。図５においては、「０」が入力されているので、「出血大サービス」という文字列は回転していない。
【００７３】
文字色設定欄５０３は、文字色の種類入力欄５１１と、開始色設定部４０２としての文字色の開始色入力欄５２１と、終了色設定部４０３としての文字色の終了色入力欄５３１からなる。また、各入力欄５１１，５２１，５３１の右端には下向き矢印ボタン５１２，５２２，５３２が設けられており、これらの下向き矢印ボタン５１２，５２２，５３２を押下することにより、各入力候補がポップアップ画面により表示される。
【００７４】
また、開始色入力欄５２１および終了色入力欄５３１に左側には、サンプルカラー表示欄５２３および５３３が設けられている。サンプルカラー表示欄５２３および５３３は、開始色入力欄５２１および終了色入力欄５３１に入力された色のサンプルを表示する。
【００７５】
図６は、種類入力欄５１１の右端の下向き矢印ボタン５１２を押下した状態を示している。図６において、ポップアップ画面６０１には、文字色の種類として「単色」と「グラデーション」の２種類が入力候補として表示されている。「単色」とは、文字列すべてが同一の一色となるように設定するものであり、したがって、図５にも示したとおり、「単色」が入力されると、終了色入力欄５３１はグレイアウトし、入力不可の状態となる。
【００７６】
一方、「グラデーション」とは、文字列の各文字の色が文字単位で段階的に移り変わるように設定するものである。「グラデーション」が入力されると、開始色入力欄５１１だけでなく、終了色入力欄５１２も入力可能の状態となる。ただし、開始色入力欄５１１と終了色入力欄５１２に同一の色を入力すると、グラデーションにはならず、「単色」を入力した場合と同じ状態になる。
【００７７】
図７は、開始色入力欄５２１の右端の下向き矢印ボタン５２２を押下した状態を示している。図７おいて、ポップアップ画面７０１には、開始色として「黒」「青」、「緑」、「シアン」、「赤」、「マゼンダ」、「黄色」、「白」の８色が入力候補として表示されている。また、ポップアップ画面７０１の右端にはスクロールバー７０２が設けられており、上記８色以上の入力候補がある場合に、スクロールバー７０２をスクロールさせることにより、他の入力候補を表示させることができる。
【００７８】
つぎに、文字数計数部４０４による文字数計数処理および文字色決定部４０５による文字色決定処理の内容について説明する。図８は、実施の形態１による情報処理装置１００の文字数計数部４０４の文字数計数処理および文字色決定部４０５の文字色決定処理の原理を示す説明図である。図８においては、文字列：「出血大サービス」、種類：「グラデーション」、開始色：「白」、終了色：「黒」が設定されているものとする。文字列「出血大サービス」の各文字の下に括弧書きで示されている数値は、便宜上グラデーションの度合いを数値化して示したものであり、白色を「０」パーセントとし黒色を「１００」パーセントとする。
【００７９】
文字数計数部４０４は、文字列の数を計数する。上記の場合、文字列「出血大サービス」は文字数が７文字であるから、文字計数部４０４は「７」を計数する。つぎに、文字色決定部４０５は、文字色を決定する際、グラデーションの度合いを均等にするために、上記１００を「６（７−１）」で割って、「１６．６６６．．．」パーセントを得る。この割合で、文字単位でグラデーションの度合いを決定する。具体的には、文字「血」には、「１６．６６６．．．」パーセントの小数点以下２桁を四捨五入して「１６．７」パーセントのグラデーションの度合いによる色を割り当てる。
【００８０】
同様にして、文字「大」には「３３．３」パーセント、文字「サ」には「４９．０」パーセント、文字「ー」には「６６．７」パーセント、文字「ビ」には「８３．３」パーセントのグラデーションの度合いによる色をそれぞれ割り当てる。
【００８１】
このように、開始色と終了色を設定することにより、文字列の文字数で開始色と終了色との間のグラデーションの度合いを均等割りしてそれぞれ均等割りした色を割り当てることにより各文字の色を決定する。
【００８２】
つぎに、背景色設定欄５０４について説明する。背景色設定欄５０４は、文字色設定欄５０３と同様に、背景色の種類入力欄９１１と、開始色設定部４０２としての背景色の開始色入力欄９２１と、終了色設定部４０３としての背景色の終了色入力欄９３１からなる。また、各入力欄９１１，９２１，９３１の右端には下向き矢印ボタン９１２，９２２，９３２が設けられており、これらの下向き矢印ボタン５１２，９２２，９３２を押下することにより、各入力候補がポップアップ画面により表示される。
【００８３】
また、開始色入力欄９２１および終了色入力欄９３１に左側には、サンプルカラー表示欄９２３および９３３が設けられている。サンプルカラー表示欄９２３および９３３は、開始色入力欄９２１および終了色入力欄９３１に入力された色のサンプルを表示する。
【００８４】
図１０は、実施の形態１による情報処理装置１００の表示部３０８に表示されるダイアログ・ボックスの別の一例を示す説明図である。図１０においては、背景色を設定した場合の文字列の表示を示している。背景は通常文字を囲む四角形で表されるが、これに限定するものではなく、円や他の図形であってもよい。また、これらの図形は操作者が指定することもできる。
【００８５】
文字の色だけでなく、文字の背景色も変化させることによりより効果的な文字列の表示をおこなうことができる。
【００８６】
つぎに、チェックボックス５０６および「文字個別設定」ボタン５０７の内容について説明する。チェックボックス５０６をチェックすることにより、「文字個別設定」ボタン５０７の押下が可能になる。「文字個別設定」ボタン５０７を押下すると、図１１に示す文字個別設定ダイアログ・ボックス１１００がオープンする。
【００８７】
ダイアログ・ボックス１１００は、文字列表示欄１１０１と、文字列表示欄を移動させるためのスクロールバー１１０２と、文字色入力欄１１１１と、背景色入力欄１１２１と、フォント設定ボタン１１３１と、「閉じる」ボタン１１４１とからなる。
【００８８】
文字列表示欄１１０１は、ダイアログ・ボックス５００の文字列入力欄５０１により入力された文字列が表示される。文字列は通常１２８文字まで入力できることから、表示しきれない文字を表示させる場合はスクロールバー１１０２をもちいる。文字列表示欄１１０１は、１文字ごとに罫線で区切られており、罫線で区切られた文字の領域内にカーソルを移動させ、クリックすることにより、文字を指定する。
【００８９】
指定された文字の色を変更するための文字色入力欄１１１１、文字色入力欄の右端の下向き矢印ボタン１１１２、文字色入力欄１１１の左側のサンプルカラー表示欄１１１３および指定された文字の背景色を変更するための背景色入力欄１１２１、背景色入力欄１１２１の右端の下向き矢印ボタン１１２２、背景色入力欄１１２１の左側のサンプルカラー表示欄１１２３については、文字色設定欄５０３の開始色入力欄５２１、下向き矢印ボタン５２２、サンプルカラー表示欄５２３と同様の内容なので、その説明は省略する。
【００９０】
フォント設定ボタン１１３１は、指定された文字のフォントの種類、サイズ等を変更するためのものである。具体的には、フォント設定ボタン１１３１を押下することにより、図示は省略するが、フォント変更ダイアログ・ボックスがオープンし、そのダイアログ・ボックスをもちいて、指定された文字のフォントを変更する。
【００９１】
「閉じる」ボタン１１４１は、文字個別設定処理が終了した場合、または、文字個別設定処理を途中で中断したい場合に押下する。「閉じる」ボタン１１４１を押下することにより、文字個別設定ダイアログ・ボックス１１００がクローズする。
【００９２】
文字個別設定により設定された文字列の一例を図１２に示す。図１２において（ａ）は、文字列「出血大サービス」の全体をグラデーションにて着色した後、文字「血」だけを上記グラデーションとは無関係の色（たとえば、血を連想させる赤）に変更したことを示している。このように、文字列全体としてはグラデーションを施すとともに特定の文字だけはグラデーションとは無関係に別の色に着色することができる。
【００９３】
また、図１２において（ｂ）は、文字「大」の背景色のみを他の背景色とは異なる色に変更したものである。このように背景色も文字色と同様に、文字列全体の背景色にグラデーションを施すとともに特定の文字の背景色だけはグラデーションとは無関係に別の色に着色することができる。
【００９４】
つぎに、「コントロール位置」ボタン５０８について説明する。「コントロール位置」ボタン５０８を押下することにより、図１３におけるコントロール位置ダイアログ・ボックス１３００がオープンする。コントロール位置ダイアログ・ボックス１３００は、左位置入力欄１３０１と、上位置入力欄１３０２と、幅入力欄１３０３と、高さ入力欄１３０４と、「設定」ボタン１３０５と、「キャンセル」ボタン１３０６とからなる。
【００９５】
各入力欄１３０１〜１３０４には、現在表示されている文字列の位置・幅・高さが自動的に入力されている。各入力欄１３０１〜１３０４に直接数値を入力することにより、上記文字列の位置・幅・高さを変更することができる。入力が終了後、「設定」ボタン１３０５を押下することにより、設定が終了する。また、途中で処理を中断するときは、「キャンセル」ボタン１３０６を押下する。「設定」ボタン１３０５または「キャンセル」ボタン１３０６のいずれのボタンが押下されても、コントロール位置ダイアログ・ボックス１３００はクローズされる。
【００９６】
つぎに、画像変更部３０４の一連の処理の手順を説明する。図１４は、実施の形態１による情報処理装置１００の画像変更部３０４の処理の手順を示すフローチャートである。図１４のフローチャートにおいて、まず、対象となる文字列の入力があったか否かを判断する（ステップＳ１４０１）。ここで、文字列の入力を待って、文字列の入力があった場合（ステップＳ１４０１肯定）は、入力された文字列の文字数を取得する（ステップＳ１４０２）とともに、入力された文字列を表示する（ステップＳ１４０３）。
【００９７】
つぎに、文字列が変更されたか否かを判断し（ステップＳ１４０４）、変更された場合（ステップＳ１４０４肯定）は、ステップＳ１４０２へ移行し、ステップＳ１４０２〜Ｓ１４０４の処理を繰り返しおこなう。
【００９８】
ステップＳ１４０４において、文字列の変更がない場合（ステップＳ１４０４否定）は、つぎに、文字色設定欄５０３の文字色の種類入力欄５１１において「グラデーション」が選択されたか否かを判断する（ステップＳ１４０５）。「グラデーション」が選択された場合（ステップＳ１４０５肯定）は、開始色入力欄５２１の色の変更指示があったか否かを判断する（ステップＳ１４０６）。
【００９９】
色の変更指示がなかった場合（ステップＳ１４０６否定）は、なにもせずに、ステップＳ１４０８へ移行する。一方、色の変更指示があった場合（ステップＳ１４０６肯定）は、文字色の決定処理をおこなう（ステップＳ１４０７）。すなわち、開始色が変更になることにより、文字列の各文字の色が異なるため、変更された色に基づいて各文字の文字色を決定する。その後、ステップＳ１４０８へ移行する。
【０１００】
ステップＳ１４０８において、終了色入力欄５３１の色の変更指示があったか否かを判断する。色の変更指示がなかった場合（ステップＳ１４０８否定）は、なにもせずに、ステップＳ１４０３へ移行して変更後の状態で再表示する（ステップＳ１４０３）。一方、色の変更指示があった場合（ステップＳ１４０８肯定）は、文字色の決定処理をおこなう（ステップＳ１４０９）。すなわち、終了色が変更になることにより、開始色が変更になるのと同様に、文字列の各文字の色が異なるため、変更された色に基づいて各文字の文字色を決定する。その後、ステップＳ１４０３へ移行して変更後の状態で再表示する（ステップＳ１４０３）。
【０１０１】
つぎに、文字個別設定の処理の内容について説明する。図１５は、実施の形態１による情報処理装置１００の画像変更部３０４の別の処理、すなわち文字個別設定処理の手順を示すフローチャートである。図１５のフローチャートにおいて、まず文字個別設定ダイアログ・ボックス１１００内の文字列表示欄１１０１に文字列を表示する（ステップＳ１５０１）。
【０１０２】
つぎに、「閉じる」ボタン１１４１が押下されたか否かを判断し（ステップＳ１５０２）、押下されていなければ（ステップＳ１５０２否定）、文字列表示欄１１０１内の文字が選択されたか否かを判断する（ステップＳ１５０３）。文字が指定されていない場合（ステップＳ１５０３否定）は、ステップＳ１５０２へ移行する。
【０１０３】
一方、ステップＳ１５０３において、文字が指定された場合（ステップＳ１５０３肯定）は、文字色の変更指示があったか否かを判断する（ステップＳ１５０４）。ここで、文字色の変更指示がなかった場合（ステップＳ１５０４否定）は、なにもおこなわずに、ステップＳ１５０６へ移行する。一方、文字色の変更指示があった場合（ステップＳ１５０４肯定）は、文字色の変更処理をおこなった（ステップＳ１５０５）のち、ステップＳ１５０６へ移行する。
【０１０４】
ステップＳ１５０６において、ステップＳ１５０４と同様に、背景色の変更指示があったか否かを判断し、背景色の変更指示がなかった場合（ステップＳ１５０６否定）は、なにもおこなわずに、ステップＳ１５０８へ移行する。一方、背景色の変更指示があった場合（ステップＳ１５０６肯定）は、背景色の変更処理をおこなった（ステップＳ１５０７）のち、ステップＳ１５０８へ移行する。
【０１０５】
ステップＳ１５０８において、ステップＳ１５０４、ステップ１５０６と同様に、フォントの変更指示があったか否かを判断し、フォントの変更指示がなかった場合（ステップＳ１５０８否定）は、なにもおこなわずに、ステップＳ１５０１へ移行し、再表示をする（ステップＳ１５０１）。一方、フォントの変更指示があった場合（ステップＳ１５０８肯定）は、背景色の変更処理をおこなった（ステップＳ１５０９）のち、ステップＳ１５０１へ移行し、再表示をする（ステップＳ１５０１）。
【０１０６】
その後、同一の処理を繰り返しおこなうが、ステップＳ１５０２において、「閉じる」ボタン１１４１が押下された場合は、すべての処理は終了する。
【０１０７】
以上説明したように、実施の形態１によれば、各文字の色は単色のままで、文字列全体としてグラデーション効果が生じるようなグラデーション効果を簡易な操作でおこなうことができる。また、文字指定部４１０および文字色変更部４１１により、文字列全体としてグラデーション効果を保ちつつ、強調したい文字のみを別の色等で着色することができる。
【０１０８】
また、ダイアログ・ボックス１１００内に文字列を表示しそこから文字を指定をすることができるので、ダイアログ・ボックスの切替等の煩雑さを解消し、強調したい文字のみを別の色等で着色操作をより簡易にすることができる。
【０１０９】
（実施の形態２）
さて、上述した実施の形態１では、文字列の文字数、開始色と終了色から文字色または背景色について色の決定をおこなったが、以下に説明する実施の形態２のように、文字列の文字数、最小文字サイズと最大文字サイズから文字のサイズ、文字列の配置等から文字サイズの決定をおこなうようにしてもよい。
【０１１０】
この発明の実施の形態２による情報処理装置を含む画像付ドキュメント作成システム全体および情報処理装置１００のハードウエア構成については実施の形態１と同様であるので、その説明は省略する。また、情報処理装置１００のうち画像変更部３０４、表示制御部３０７を除く他の各部についても実施の形態１と同様の構成であるので、その説明も省略する。
【０１１１】
つぎに、画像変更部３０４について説明する。図１６は、この発明の実施の形態２による情報処理装置の画像変更部３０４およびその周辺部の構成を機能的に示すブロック図である。図１６に示すように、画像変更部３０４は、文字列入力部１６０１と、最小文字サイズ設定部１６０２と、最大文字サイズ設定部１６０３と、文字数計数部１６０４と、文字サイズ決定部１６０５と、配置パターン設定部１６１０とを含む構成となっている。なお、文字列入力部１６０１および文字数計数部１６０４は、実施の形態１の文字列入力部４０１および文字数計数部４０４と同様の構成であるので、その説明は省略する。
【０１１２】
最小文字サイズ設定部１６０２は、文字列入力部１６０１により入力された文字列の最小文字サイズおよび当該最小サイズとなる文字を設定する。また、最大文字サイズ設定部１６０３は同様に、文字列入力部１６０１により入力された文字列の最大文字サイズおよび当該最大サイズとなる文字を設定する。
【０１１３】
文字数計数部１６０４は、最小サイズ設定部１６０２により設定された最小サイズとなる文字から最大サイズ設定部１６０２により設定された最大サイズとなる文字までの文字数を計数する。
【０１１４】
文字サイズ決定部１６０５は、最小文字サイズ設定部１６０２により設定されたサイズから最大文字サイズ設定部１６０３により設定されたサイズへ移り変わる度合いが文字数計数部１６０４により計数した文字数に基づいて文字単位で均等に変化するように前記文字列のうちの前記最小文字サイズの文字および前記最大文字サイズの文字を除く文字のサイズを決定する。
【０１１５】
また、配置パターン設定部１６１０は、前記文字列の各文字の文字サイズをどのような配置で変更するかの配置パターンを設定する。
【０１１６】
文字列入力部１６０１、最小文字サイズ設定部１６０２、最大文字サイズ設定部１６０３、文字数計数部１６０４、文字サイズ決定部１６０５、配置パターン設定部１６１０はそれぞれ、ＲＯＭ２０２、ＲＡＭ２０３またはハードディスク２０５、フレキシブルディスク２０７等の記録媒体に記録されたＯＳ、アプリケーションプログラム等のプログラムに記載された命令にしたがってＣＰＵ２０１等が命令処理を実行することにより、各部の機能を実現するものである。
【０１１７】
さらに、表示制御部３０７は、表示部３０８を制御して、前記文字列の各文字を前記最小文字サイズ設定部１６０２または最大文字サイズ設定部１６０３により設定されたサイズまたは文字サイズ決定部１６０５により決定されたサイズに変更して表示する。
【０１１８】
つぎに、形状設定欄５０５の内容について説明する。図１７は、実施の形態２による情報処理装置１００の表示部３０８に表示されるダイアログ・ボックス５００の一例を示す説明図である。ダイアログ・ボックス５００の形状設定欄５０５は、配置パターン１７０１〜１７０８までの配置パターンが表示される配置パターン表示欄と、最小文字サイズ変更コントローラ１７１１と、最大文字サイズ変更コントローラ１７２１，フォント変更設定ボタン１７３１とからなる。
【０１１９】
配置パターン表示欄には、図案化された配置パターンが表示されており、所望の配置パターンの表示領域へカーソルを移動させ、クリックすることにより配置パターンを選択することができる。選択された配置パターンは、他の配置パターンと区別するためにその領域が反転表示される。
【０１２０】
最小文字サイズ変更コントローラ１７１１は、つまみの部分をドラッグして左右に移動させることにより、文字のサイズをアナログ的に変更することができる。具体的には、左側へ移動させると文字サイズは小さくなり、反対に右側へ移動させると文字サイズは大きくなる。最大文字サイズ変更コントローラ１７２１も最小文字サイズ変更コントローラ１７１１と同様の構成であるので、その説明は省略する。
【０１２１】
また、フォント設定ボタン１７３１は、実施の形態１のフォント設定ボタン１１３１と同様の構成であるので、その説明は省略する。
【０１２２】
図１８〜図２４はそれぞれ（ａ）がダイアログ・ボックス５００を示しており、（ｂ）が配置パターンに応じた文字列の表示の状態を示している。図１８において、配置パターン１７０２が選択されており、配置パターン１７０２に対応して文字列が表示されている。
【０１２３】
図１８（ｂ）において最小文字サイズである文字「出」を「０」パーセントとし、最大文字サイズである文字「ス」を「１００」パーセントとすると、文字「血」，「大」，「サ」，「ー」，「ビ」は、それぞれ、「１６．６６６．．．」パーセントの割合でサイズが大きくなっている。「１６．６６６．．．」パーセントは、実施の形態１と同様に、文字数計数部１６０４が計数した文字列の文字数に基づいて算出した均等な割合である。
【０１２４】
また、図１９において、配列パターン１７０３が選択されており、配列パターン１７０３に対応して文字列が表示されている。図１９（ｂ）において、最小文字サイズは文字列の両端の文字「出」と文字「ス」であり、最大文字サイズは文字列の中央の文字「サ」である。したがって、最小文字サイズを「０」パーセントとし、最大文字サイズを「１００」パーセントとすると、文字列のその他の文字は、文字「血」および文字「ビ」が「３３．３」パーセント、文字「大」および文字「ー」が「６６．７」パーセントとなる。
【０１２５】
このように、最小文字サイズに該当する文字から最大文字サイズに該当する文字までの文字数を計数し、その文字数に基づいて算出した均等な割合となるように他の文字のサイズを決定する。
【０１２６】
図２０は配置パターン１７０４を選択した場合を、図２１は配置パターン１７０５を選択した場合を、図２２は配置パターン１７０６を選択した場合を、図２３は配置パターン１７０７を選択した場合を、図２４は配置パターン１７０８を選択した場合をそれぞれ示しており、それらの内容は、図１８，図１９と同様であるので、それらの説明は省略する。
【０１２７】
つぎに、画像変更部３０４の一連の処理の手順を説明する。図２５は、実施の形態２による情報処理装置１００の画像変更部３０４の処理の手順を示すフローチャートである。図２５のフローチャートにおいて、まず、対象となる文字列の入力があったか否かを判断する（ステップＳ２５０１）。ここで、文字列の入力を待って、文字列の入力があった場合（ステップＳ２５０１肯定）は、入力された文字列の文字数を取得する（ステップＳ２５０２）とともに、入力された文字列を表示する（ステップＳ２５０３）。
【０１２８】
つぎに、文字列が変更されたか否かを判断し（ステップＳ２５０４）、変更された場合（ステップＳ２５０４肯定）は、ステップＳ２５０２へ移行し、ステップＳ２５０２〜Ｓ２５０４の処理を繰り返しおこなう。
【０１２９】
ステップＳ２５０４において、文字列の変更がない場合（ステップＳ２５０４否定）は、つぎに、配置パターン変更の指示があったか否かを判断する（ステップＳ２５０５）。ここで、配置パターンの変更指示があった場合（ステップＳ２５０５肯定）は、変更指示があった配置パターンに基づいて配置変更処理をおこない（ステップＳ２５０６）、一方、配置パターンの変更指示がなかった場合（ステップＳ２５０５否定）は、なにもおこなわず、ステップＳ２５０７へ移行する。
【０１３０】
つぎに、最小文字サイズの変更指示があったか否かを判断する（ステップＳ２５０７）。変更指示がなかった場合（ステップＳ２５０７否定）は、なにもおこなわずに、ステップＳ２５０９へ移行する。
【０１３１】
一方、ステップＳ２５０７において、変更指示があった場合（ステップＳ２５０７肯定）は、変更された最小文字サイズに基づいて、他の文字の文字サイズを決定し（ステップＳ２５０８）、その後、ステップＳ２５０９へ移行する。
【０１３２】
つぎに、最小文字サイズの場合と同様に、最大文字サイズの変更指示があったか否かを判断する（ステップＳ２５０９）。変更指示がなかった場合（ステップＳ２５０９否定）は、なにもおこなわずに、ステップＳ２５０３へ移行し、再表示をおこなう（ステップＳ２５０３）。
【０１３３】
一方、ステップＳ２５０９において、変更指示があった場合（ステップＳ２５０９肯定）は、変更された最大文字サイズに基づいて、他の文字の文字サイズを決定し（ステップＳ２５１０）、その後、ステップＳ２５０３へ移行し、再表示をおこなう（ステップＳ２５０３）。
【０１３４】
以上説明したように、実施の形態２によれば、文字の形状はそのままで文字のサイズのみを均等に変化させることで、文字の見やすさを保持したまま、文字列全体として印象的な配置とすることができる。また、配置パターン１７０１〜１７０８を選択するという簡易な操作で文字の配置を自由にレイアウトすることができる。
【図面の簡単な説明】
【０１３５】
【図１】この発明の実施の形態１による情報処理装置を含む画像付ドキュメント作成システム全体の構成を機能的に示す説明図である。
【図２】実施の形態１による情報処理装置のハードウエア構成を示すブロック図である。
【図３】実施の形態１による情報処理装置の構成を機能的に示すブロック図である。
【図４】実施の形態１による情報処理装置の画像変更部およびそれらの周辺部の構成を機能的に示すブロック図である。
【図５】実施の形態１による情報処理装置の表示部に表示されるダイアログ・ボックスの一例を示す説明図である。
【図６】実施の形態１による情報処理装置の表示部に表示されるダイアログ・ボックスの別の一例を示す説明図である。
【図７】実施の形態１による情報処理装置の表示部に表示されるダイアログ・ボックスの別の一例を示す説明図である。
【図８】実施の形態１による情報処理装置の表示部に表示される文字列の一例を示す説明図である。
【図９】実施の形態１による情報処理装置の表示部に表示されるダイアログ・ボックスの別の一例を示す説明図である。
【図１０】実施の形態１による情報処理装置の表示部に表示される文字列の別の一例を示す説明図である。
【図１１】実施の形態１による情報処理装置の表示部に表示される別のダイアログ・ボックスの一例を示す説明図である。
【図１２】実施の形態１による情報処理装置の表示部に表示される文字列の別の一例を示す説明図である。
【図１３】実施の形態１による情報処理装置の表示部に表示される別のダイアログ・ボックスの一例を示す説明図である。
【図１４】実施の形態１による情報処理装置の画像変更部の処理の手順を示すフローチャートである。
【図１５】実施の形態１による情報処理装置の画像変更部の別の処理の手順を示すフローチャートである。
【図１６】この発明の実施の形態２による情報処理装置の画像変更部およびそれらの周辺部の構成を機能的に示すブロック図である。
【図１７】実施の形態２による情報処理装置の表示部に表示されるダイアログ・ボックスの一例を示す説明図である。
【図１８】実施の形態２による情報処理装置の表示部に表示されるダイアログ・ボックスの別の一例を示す説明図である。
【図１９】実施の形態２による情報処理装置の表示部に表示されるダイアログ・ボックスの別の一例を示す説明図である。
【図２０】実施の形態２による情報処理装置の表示部に表示されるダイアログ・ボックスの別の一例を示す説明図である。
【図２１】実施の形態２による情報処理装置の表示部に表示されるダイアログ・ボックスの別の一例を示す説明図である。
【図２２】実施の形態２による情報処理装置の表示部に表示されるダイアログ・ボックスの別の一例を示す説明図である。
【図２３】実施の形態２による情報処理装置の表示部に表示されるダイアログ・ボックスの別の一例を示す説明図である。
【図２４】実施の形態２による情報処理装置の表示部に表示されるダイアログ・ボックスの別の一例を示す説明図である。
【図２５】実施の形態２による情報処理装置の画像変更部の処理の手順を示すフローチャートである。
【符号の説明】
【０１３６】
１００  情報処理装置
１０１  入力部
１０２  加工部
１０３  出力部
１０４  画像データ記憶部
２０１  ＣＰＵ
２０５  ＨＤ
２０７  ＦＤ
２０８  ディスプレイ
２１１  キーボード
２１２  マウス
２１３  デジタルスチルカメラ
３０１  操作指示部
３０４  画像変更部
３０７  表示制御部
３０８  表示部
４０１，１６０１  文字列入力部
４０２  開始色設定部
４０３  終了色設定部
４０４，１６０４  文字数計数部
４０５  文字色決定部
４１０  文字指定部
４１１  文字色変更部
５００，１１００，１３００  ダイアログ・ボックス
１６０２  最小文字サイズ設定部
１６０３  最大文字サイズ設定部
１６０５  文字サイズ決定部
１６１０  配置パターン設定部
７００，２３００  貼り合わせ処理ウインドウ
７０１，２３０１  貼り合わせ作業領域
１６２１，２３６１〜２３６４  接続線
１５０５  接続線描画部
１８０６  結合点指定解除部
２２０７  焦点距離設定部
２２０８  画像補正部
２３０２  モード切替部
２３０３  配列切替部
２３０４  ズーム切替部
２３０５  カメラ切替部
【図１】
2006023736.tif 000003
【図２】
2006023736.tif 000004
【図３】
2006023736.tif 000005
【図４】
2006023736.tif 000006
【図５】
2006023736.tif 000007
【図６】
2006023736.tif 000008
【図７】
2006023736.tif 000009
【図８】
2006023736.tif 000010
【図９】
2006023736.tif 000011
【図１０】
2006023736.tif 000012
【図１１】
2006023736.tif 000013
【図１２】
2006023736.tif 000014
【図１３】
2006023736.tif 000015
【図１４】
2006023736.tif 000016
【図１５】
2006023736.tif 000017
【図１６】
2006023736.tif 000018
【図１７】
2006023736.tif 000019
【図１８】
2006023736.tif 000020
【図１９】
2006023736.tif 000021
【図２０】
2006023736.tif 000022
【図２１】
2006023736.tif 000023
【図２２】
2006023736.tif 000024
【図２３】
2006023736.tif 000025
【図２４】
2006023736.tif 000026
【図２５】
2006023736.tif 000027
【手続補正書】
【提出日】平成17年7月25日(2005.7.25)
【手続補正１】
【補正対象書類名】特許請求の範囲
【補正対象項目名】全文
【補正方法】変更
【補正の内容】
【特許請求の範囲】
【請求項１】
文字列を入力する手段と、
前記文字列の最小の文字サイズとなる文字及び前記文字の文字サイズと、最大の文字サイズとなる文字及び前記文字の文字サイズと、をそれぞれ設定する手段と、
前記設定された文字サイズが最小となる文字から最大となる文字までの文字数を計数する手段と、
前記計数した文字数と、前記設定された文字サイズとに基づいて、前記文字列の文字サイズが段階的に変化するように編集加工する手段と、
を備えたことを特徴とする情報処理装置。
【請求項２】
文字列を入力する手段と、
前記文字列を構成する文字の文字サイズ変更後の、前記文字列の配置を示す配置パターンを指定する手段と、
前記文字列の最小の文字サイズと最大の文字サイズとをそれぞれ設定する手段と、
前記指定された配置パターンに基づいて、前記設定された文字サイズが最小の文字から最大の文字までの文字数を計数する手段と、
前記計数した文字数と、前記指定された配置パターンと、前記設定された文字サイズとに基づいて、前記文字列の文字サイズが段階的に変化するように編集加工する手段と、
を備えたことを特徴とする情報処理装置。
【請求項３】
前記配置パターンは、幾何形状であることを特徴とする請求項２に記載の情報処理装置。
【請求項４】
文字を表示画面上に表示する表示手段と、
前記表示手段を制御して、前記編集加工した文字列を表示する表示制御手段と、
を備えたことを特徴とする請求項１または２に記載の情報処理装置。
【請求項５】
前記表示制御手段は、前記表示手段を制御し、前記文字列の文字の最小サイズと最大サイズを設定するためのダイアログ・ボックスを表示することを特徴とする請求項４に記載の情報処理装置。
【請求項６】
前記文字は、数字又は記号を含むことを特徴とする請求項１〜５のいずれか一つに記載の情報処理装置。
【請求項７】
文字列を入力する工程と、
前記文字列の最小の文字サイズとなる文字及び前記文字の文字サイズと、最大の文字サイズとなる文字及び前記文字の文字サイズと、をそれぞれ設定する工程と、
前記設定された文字サイズが最小となる文字から最大となる文字までの文字数を計数する工程と、
前記計数した文字数と、前記設定された文字サイズとに基づいて、前記文字列の文字サイズが段階的に変化するように編集加工する工程と、
を含んだことを特徴とする情報処理方法。
【請求項８】
文字列を入力する工程と、
前記文字列を構成する文字の文字サイズ変更後の、前記文字列の配置を示す配置パターンを指定する工程と、
前記文字列の最小の文字サイズと最大の文字サイズとをそれぞれ設定する工程と、
前記指定された配置パターンに基づいて、前記設定された文字サイズが最小の文字から最大の文字までの文字数を計数する工程と、
前記計数した文字数と、前記指定された配置パターンと、前記設定された文字サイズとに基づいて、前記文字列の文字サイズが段階的に変化するように編集加工する工程と、
を含んだことを特徴とする情報処理方法。
【請求項９】
前記編集加工した文字列を表示する表示工程を含んだことを特徴とする請求項７または８に記載の情報処理方法。
【請求項１０】
前記表示工程は、前記文字列の文字の最小サイズと最大サイズを設定するためのダイアログ・ボックスを表示することを特徴とする請求項９に記載の情報処理方法。
【請求項１１】
前記請求項７〜１０に記載された方法をコンピュータに実行させるプログラムを記録したことを特徴とするコンピュータ読み取り可能な記録媒体。
【手続補正２】
【補正対象書類名】明細書
【補正対象項目名】全文
【補正方法】変更
【補正の内容】
【発明の詳細な説明】
【技術分野】
【０００１】
この発明は、文字を表示画面上に表示し、表示された文字を編集加工する情報処理装置、情報処理方法およびその方法をコンピュータに実行させるプログラムを記録したコンピュータ読み取り可能な記録媒体に関する。
【背景技術】
【０００２】
従来、文字列を効果的に表示するための方法として、グラデーション処理や文字列全体において各文字のサイズを変更する技術、たとえば、右から左へ文字が次第に大きくなるような見出しの文字列を作成する技術が存在する。
【発明の開示】
【発明が解決しようとする課題】
【０００３】
しかしながら、上記の従来技術にあっては、文字列全体あるいは１文字ごとにグラデーション処理を施すため、１文字のなかにおいても位置によって色が異なることになる。これでは、グラデーション処理のやり方によっては、色むらのように感じられ、パンフレットやチラシの見出しにはあまり適さないといった問題点があった。
【０００４】
また、通常、パンフレットやチラシの見出しは文字列の一部の文字だけを色や大きさを変えて強調するのが一般的である。たとえば、「出血大サービス」といったチラシの見出しの場合、「血」の部分だけを赤く着色することで見出しの内容を強調したり、「大」の部分だけを大きなサイズすることで、見る側の注意を喚起したりする場合があるが、文字列全体にわたってグラデーション処理を施すと、その文字列の中の任意の文字のも別の色彩に変更することは困難であるといった問題点があった。
【０００５】
さらに、文字のサイズを変更する際、たとえば、右から左へ文字が次第に大きくなるような見出しの場合にも、文字自体をゆがめて（文字の右側よりも左側のが大きくなるように）作成してしまうため、文字が認識しづらくなり、グラデーション処理と同様に、パンフレットやチラシの見出しにはあまり適さないといった問題点があった。
【０００６】
この発明は、上述した従来例による問題を解決するため、初心者にも簡易な操作によりパンフレットやチラシの見出し等にもちいる多彩な効果文字の作成が可能な情報処理装置、情報処理方法およびその方法をコンピュータに実行させるプログラムを記録したコンピュータ読み取り可能な記録媒体を提供することを目的とする。
【課題を解決するための手段】
【０００７】
上述した課題を解決し、目的を達成するため、この発明に係る情報処理装置は、数字、記号等を含む文字を表示画面上に表示する表示手段を備え、前記表示手段に表示された文字を編集加工する情報処理装置において、複数の文字からなる文字列を入力する文字列入力手段と、前記文字列入力手段により入力された文字列の最初の文字の色および／または当該文字の背景色を設定する開始色設定手段と、前記文字列入力手段により入力された文字列の最後の文字の色および／または当該文字の背景色を設定する終了色設定手段と、前記文字列入力手段により入力された文字列の文字数を計数する文字数計数手段と、前記開始色設定手段により設定された色から前記終了色設定手段により設定された色へ移り変わる度合いが前記文字数計数手段により計数した文字数に基づいて文字単位で均等に変化するように前記文字列のうちの前記最初の文字および前記最後の文字を除く文字の色および／または当該文字の背景色を決定する文字色決定手段と、前記表示手段を制御して、前記文字列に前記開始色設定手段または前記終了色設定手段により設定された色または前記文字色決定手段により決定された色を着色して表示する表示制御手段と、を備えたことを特徴とする。
【０００８】
この発明によれば、各文字の色は単色のままで、文字列全体としてグラデーション効果が生じるようなグラデーション効果を簡易な操作でおこなうことができ、容易にパンフレットやチラシの見出し等にもちいる多彩な効果文字の作成が可能である。
【０００９】
また、この発明に係る情報処理装置は、上記発明において、さらに、前記文字色決定手段により決定された文字の色および／または当該文字の背景色を文字単位で変更する文字色変更手段を備えたことを特徴とする。
【００１０】
この発明によれば、文字列全体としてグラデーション効果を保ちつつ、強調したい文字のみを別の色等で着色することができ、容易にパンフレットやチラシの見出し等にもちいる多彩な効果文字の作成が可能である。
【００１１】
また、この発明に係る情報処理装置は、上記発明において、前記表示手段を制御して、文字の色および／または当該文字の背景色を変更するためのダイアログ・ボックスを表示するとともに、前記ダイアログ・ボックス内に前記文字列を表示し、前記表示制御手段により前記ダイアログ・ボックス内に表示された文字列の中の任意の文字を指定する文字指定手段を備え、前記文字色変更手段は、前記文字指定手段により指定された文字の色および／または当該文字の背景色を変更することを特徴とする。
【００１２】
この発明によれば、ダイアログ・ボックス内に文字列を表示しそこから文字に指定をすることができるので、ダイアログ・ボックスの切替等の煩雑さを解消し、強調したい文字のみを別の色等で着色操作をより簡易にすることができ、容易にパンフレットやチラシの見出し等にもちいる多彩な効果文字の作成が可能である。
【００１３】
また、この発明に係る情報処理装置は、数字、記号等を含む文字を表示画面上に表示する表示手段を備え、前記表示手段に表示された文字を編集加工する情報処理装置において、複数の文字からなる文字列を入力する文字列入力手段と、前記文字列入力手段により入力された文字列の最小文字サイズおよび当該最小サイズとなる文字を設定する最小文字サイズ設定手段と、前記文字列入力手段により入力された文字列の最大文字サイズおよび当該最大サイズとなる文字を設定する最大文字サイズ設定手段と、前記最小サイズ設定手段により設定された最小サイズとなる文字から前記最大サイズ設定手段により設定された最大サイズとなる文字までの文字数を計数する文字数計数手段と、前記最小文字サイズ設定手段により設定されたサイズから前記最大文字サイズ設定手段により設定されたサイズへ移り変わる度合いが前記文字数計数手段により計数した文字数に基づいて文字単位で均等に変化するように前記文字列のうちの前記最小文字サイズの文字および前記最大文字サイズの文字を除く文字のサイズを決定する文字サイズ決定手段と、前記表示手段を制御して、前記文字列の各文字を前記最小文字サイズ設定手段または前記最大文字サイズ設定手段により設定されたサイズまたは前記文字サイズ決定手段により決定されたサイズに変更して表示する表示制御手段と、を備えたことを特徴とする。
【００１４】
この発明によれば、文字の形状はそのままで文字のサイズのみを均等に変化させることで、文字の見やすさを保持したまま、文字列全体として印象的な配置とすることができ、容易にパンフレットやチラシの見出し等にもちいる多彩な効果文字の作成が可能である。
【００１５】
また、この発明に係る情報処理装置は、上記発明において、さらに、前記文字列の各文字の文字サイズをどのような配置で変更するかの配置パターンを設定する配置パターン設定手段を備え、前記表示制御手段が、前記配置パターン設定手段により設定された配置パターンとなるように前記文字列の各文字のサイズを変更することを特徴とする。
【００１６】
この発明によれば、配置パターンを選択するという簡易な操作で文字の配置を自由にレイアウトすることができ、容易にパンフレットやチラシの見出し等にもちいる多彩な効果文字の作成が可能である。
【００１７】
また、この発明に係る情報処理方法は、数字、記号等を含む文字を表示画面上に表示し、表示された文字を編集加工する情報処理方法において、複数の文字からなる文字列を入力する文字列入力工程と、前記文字列入力工程により入力された文字列の最初の文字の色および／または当該文字の背景色を設定する開始色設定工程と、前記文字列入力工程により入力された文字列の最後の文字の色および／または当該文字の背景色を設定する終了色設定工程と、前記文字列入力工程により入力された文字列の文字数を計数する文字数計数工程と、前記開始色設定工程により設定された色から前記終了色設定工程により設定された色へ移り変わる度合いが前記文字数計数工程により計数した文字数に基づいて文字単位で均等に変化するように前記文字列のうちの前記最初の文字および前記最後の文字を除く文字の色および／または当該文字の背景色を決定する文字色決定工程と、前記文字列に前記開始色設定工程または前記終了色設定工程により設定された色または前記文字色決定工程により決定された色を着色して表示する表示制御工程と、を含んだことを特徴とする。
【００１８】
この発明によれば、各文字の色は単色のままで、文字列全体としてグラデーション効果が生じるようなグラデーション効果を簡易な操作でおこなうことができ、容易にパンフレットやチラシの見出し等にもちいる多彩な効果文字の作成が可能である。
【００１９】
また、この発明に係る画像処理方法は、上記発明において、さらに、前記文字色決定工程により決定された文字の色および／または当該文字の背景色を文字単位で変更する文字色変更工程を含んだことを特徴とする。
【００２０】
この発明によれば、文字列全体としてグラデーション効果を保ちつつ、強調したい文字のみを別の色等で着色することができ、容易にパンフレットやチラシの見出し等にもちいる多彩な効果文字の作成が可能である。
【００２１】
また、この発明に係る画像処理方法は、上記発明において、前記表示制御工程は、文字の色および／または当該文字の背景色を変更するためのダイアログ・ボックスを表示するとともに、前記ダイアログ・ボックス内に前記文字列を表示し、前記表示制御工程により前記ダイアログ・ボックス内に表示された文字列の中の任意の文字を指定する文字指定工程を含み、前記文字色変更工程は、前記文字指定工程により指定された文字の色および／または当該文字の背景色を変更することを特徴とする。
【００２２】
この発明によれば、ダイアログ・ボックス内に文字列を表示しそこから文字に指定をすることができるので、ダイアログ・ボックスの切替等の煩雑さを解消し、強調したい文字のみを別の色等で着色操作をより簡易にすることができ、容易にパンフレットやチラシの見出し等にもちいる多彩な効果文字の作成が可能である。
【００２３】
また、この発明に係る情報処理方法は、数字、記号等を含む文字を表示画面上に表示し、表示された文字を編集加工する情報処理方法において、複数の文字からなる文字列を入力する文字列入力工程と、前記文字列入力工程により入力された文字列の最小文字サイズおよび当該最小サイズとなる文字を設定する最小文字サイズ設定工程と、前記文字列入力工程により入力された文字列の最大文字サイズおよび当該最大サイズとなる文字を設定する最大文字サイズ設定工程と、前記最小サイズ設定工程により設定された最小サイズとなる文字から前記最大サイズ設定工程により設定された最大サイズとなる文字までの文字数を計数する文字数計数工程と、前記最小文字サイズ設定工程により設定されたサイズから前記最大文字サイズ設定工程により設定されたサイズへ移り変わる度合いが前記文字数計数工程により計数した文字数に基づいて文字単位で均等に変化するように前記文字列のうちの前記最小文字サイズの文字および前記最大文字サイズの文字を除く文字のサイズを決定する文字サイズ決定工程と、前記文字列の各文字を前記最小文字サイズ設定工程または前記最大文字サイズ設定工程により設定されたサイズまたは前記文字サイズ決定工程により決定されたサイズに変更して表示する表示制御工程と、を含んだことを特徴とする。
【００２４】
この発明によれば、文字の形状はそのままで文字のサイズのみを均等に変化させることで、文字の見やすさを保持したまま、文字列全体として印象的な配置とすることができ、容易にパンフレットやチラシの見出し等にもちいる多彩な効果文字の作成が可能である。
【００２５】
また、この発明に係る情報処理装置は、上記発明において、さらに、前記文字列の各文字の文字サイズをどのような配置で変更するかの配置パターンを設定する配置パターン設定工程を含み、前記表示制御工程は、前記配置パターン設定工程により設定された配置パターンとなるように前記文字列の各文字のサイズを変更することを特徴とする。
【００２６】
この発明によれば、配置パターンを選択するという簡易な操作で文字の配置を自由にレイアウトすることができ、容易にパンフレットやチラシの見出し等にもちいる多彩な効果文字の作成が可能である。
【００２７】
また、この発明に係る記憶媒体は、上記に記載された方法をコンピュータに実行させるプログラムを記録したことで、そのプログラムを機械読み取り可能となり、これによって、上記の動作をコンピュータによって実現することが可能である。
【発明の効果】
【００２８】
以上説明したように、この発明によれば、各文字の色は単色のままで、文字列全体としてグラデーション効果が生じるようなグラデーション効果を簡易な操作でおこなうことができ、容易にパンフレットやチラシの見出し等にもちいる多彩な効果文字の作成が可能な情報処理装置が得られるという効果を奏する。
【００２９】
また、この発明によれば、文字列全体としてグラデーション効果を保ちつつ、強調したい文字のみを別の色等で着色することができ、容易にパンフレットやチラシの見出し等にもちいる多彩な効果文字の作成が可能な情報処理装置が得られるという効果を奏する。
【００３０】
また、この発明によれば、ダイアログ・ボックス内に文字列を表示しそこから文字の指定をすることができるので、ダイアログ・ボックスの切替等の煩雑さを解消し、強調したい文字のみを別の色等で着色操作をより簡易にすることができ、容易にパンフレットやチラシの見出し等にもちいる多彩な効果文字の作成が可能な情報処理装置が得られるという効果を奏する。
【００３１】
また、この発明によれば、文字の形状はそのままで文字のサイズのみを均等に変化させることで、文字の見やすさを保持したまま、文字列全体として印象的な配置とすることができ、容易にパンフレットやチラシの見出し等にもちいる多彩な効果文字の作成が可能な情報処理装置が得られるという効果を奏する。
【００３２】
また、この発明によれば、配置パターンを選択するという簡易な操作で文字の配置を自由にレイアウトすることができ、容易にパンフレットやチラシの見出し等にもちいる多彩な効果文字の作成が可能な情報処理装置が得られるという効果を奏する。
【００３３】
また、この発明によれば、各文字の色は単色のままで、文字列全体としてグラデーション効果が生じるようなグラデーション効果を簡易な操作でおこなうことができ、容易にパンフレットやチラシの見出し等にもちいる多彩な効果文字の作成が可能な情報処理方法が得られるという効果を奏する。
【００３４】
また、この発明によれば、文字列全体としてグラデーション効果を保ちつつ、強調したい文字のみを別の色等で着色することができ、容易にパンフレットやチラシの見出し等にもちいる多彩な効果文字の作成が可能な情報処理方法が得られるという効果を奏する。
【００３５】
また、この発明によれば、ダイアログ・ボックス内に文字列を表示しそこから文字の指定をすることができるので、ダイアログ・ボックスの切替等の煩雑さを解消し、強調したい文字のみを別の色等で着色操作をより簡易にすることができ、容易にパンフレットやチラシの見出し等にもちいる多彩な効果文字の作成が可能な情報処理方法が得られるという効果を奏する。
【００３６】
また、この発明によれば、文字の形状はそのままで文字のサイズのみを均等に変化させることで、文字の見やすさを保持したまま、文字列全体として印象的な配置とすることができ、容易にパンフレットやチラシの見出し等にもちいる多彩な効果文字の作成が可能な情報処理方法が得られるという効果を奏する。
【００３７】
また、この発明によれば、配置パターンを選択するという簡易な操作で文字の配置を自由にレイアウトすることができ、容易にパンフレットやチラシの見出し等にもちいる多彩な効果文字の作成が可能な情報処理方法が得られるという効果を奏する。
【００３８】
また、この発明に係る記憶媒体は、上記に記載された方法をコンピュータに実行させるプログラムを記録したことで、そのプログラムを機械読み取り可能となり、これによって、上記の動作をコンピュータによって実現することが可能な記録媒体が得られるという効果を奏する。
【発明を実施するための最良の形態】
【００３９】
以下に添付図面を参照して、この発明に係る情報処理装置、情報処理方法およびその方法をコンピュータに実行させるプログラムを記録したコンピュータ読み取り可能な記録媒体の好適な実施の形態を詳細に説明する。
【００４０】
（実施の形態１）
まず、この発明の実施の形態１による情報処理装置を含む画像付ドキュメント作成システム全体の構成を説明する。図１はこの発明の実施の形態１による情報処理装置を含む画像付ドキュメント作成システム全体の構成を機能的に示す説明図である。この画像付ドキュメント作成システムは、図１に機能的に示したように、入力部１０１と、加工部１０２と、出力部１０３とから構成される情報処理装置１００と、ホストコンピュータシステム１０５とがＬＡＮ等のネットワークで接続されている。
【００４１】
入力部１０１は、画像の取込み処理をおこなうものであり、たとえば、スキャナやＩＣ
カード、あるいはデジタルスチルカメラ、フォトＣＤ読取装置等を含むものである。入力部１０１は画像を取込み、取込んだ画像を所定のファイル形式に変換した後、加工部１０２へ送信する。
【００４２】
加工部１０２は、入力部１０１により取込まれた画像を登録、削除、変更等の加工処理をするものであり、たとえば、パーソナルコンピュータ（ＰＣ）等をもちいておこなうものである。また、加工部１０２内に設けられた、あるいは、加工部１０２に外付けされた画像データ記憶部１０４は、たとえば、ＰＣに内蔵のハードディスクや、フレキシブルディスク、書き換え可能なＣＤ−ＲＯＭ、ＭＯ、ＤＶＤ等、加工部１０２において加工された画像データを記憶するものである。
【００４３】
さらに加工部１０２は、画像データ記憶部１０４に記憶された画像データを検索し、検索した画像データを他のドキュメントに貼付け、そのドキュメントをディスプレイに表示するように表示制御をおこなったり、出力部１０３に印刷するように印刷制御をおこなったりする。
【００４４】
出力部１０３は、加工部１０２により印刷制御された画像データおよび画像データを含むドキュメントを印刷処理するものである。たとえば、白黒およびフルカラーの印刷が可能なレーザープリンタやデジタル複写機等が含まれる。また、出力部１０３には、名刺を印刷したり、ＩＤカード等のカードを印刷した後そのカードをラミネート加工する機能等を有するプリンタ等も含まれる。
【００４５】
ホストコンピュータシステム１０５は、加工部１０２であるＰＣとＬＡＮ等のネットワークで接続されており、ホストコンピュータ１０６と、ホストコンピュータ１０６とネットワークで接続された複数の端末装置１０７とからなる。ホストコンピュータ１０６には、たとえば社内の人事情報に関する人事情報ファイル１０８が記憶されており、各端末装置１０７からはその人事情報ファイル１０８にアクセルすることができる。
【００４６】
また、加工部１０２と人事情報ファイル１０８とはその情報を互いにリンクできるようになっており、端末装置１０７から社員番号等の人事情報を入力することにより、人事情報ファイル１０８を介して加工部１０２の画像データ記憶部１０４に記憶された画像データを検索することも可能である。
【００４７】
画像付ドキュメント作成システムの具体的な応用例としては、たとえば、顔写真付の名刺を作成する名刺作成システムや、商品写真やスタッフの顔写真を掲載した案内状等の葉書を作成する葉書作成システムや、写真付の身分証明書（ＩＤカード）を作成するＩＤカード作成システムや、企画書や広告チラシやカタログ等のリーフレットを作成するリーフレット作成システムや、写真付のカードを作成するカード作成システムや、社員の写真や履歴書、自己申告書等の顔写真付人事台帳、住所、地図等を作成、管理する人事情報システムや、中古車の写真付情報を検索する中古車検索システムや、仕入れ情報を管理する仕入れ情報企画購入システムや、工程管理、工事台帳との合成による土木建設業向けシステムや、三次元ＣＡＤとの合成による建設完成予想図システム等が含まれる。これらのシステムは当然、カラー写真等のカラー画像をもちいて作成管理するカラーシステムとしてももちいることができる。
【００４８】
つぎに、情報処理装置１００のハードウエア構成について説明する。図２は、実施の形態１による情報処理装置１００のハードウエア構成を示すブロック図である。
【００４９】
図２において、２０１はシステム全体を制御するＣＰＵを、２０２はブートプログラム等を記憶したＲＯＭを、２０３はＣＰＵのワークエリアとして使用されるＲＡＭを、２０
４はＣＰＵ２０１の制御にしたがってＨＤ（ハードディスク）２０５に対するデータのリード／ライトを制御するＨＤＤ（ハードディスクドライブ）を、２０５はＨＤＤ２０４の制御で書き込まれたデータを記憶するＨＤを、２０６はＣＰＵ２０１の制御にしたがってＦＤ（フレキシブルディスク）２０７に対するデータのリード／ライトを制御するＦＤＤ（フレキシブルディスクドライブ）を、２０７はＦＤＤ２０６の制御で書き込まれたデータを記憶する着脱自在のＦＤを、２０８は文字、画像等を含むドキュメントや機能情報等を表示するディスプレイをそれぞれ示している。
【００５０】
また、２０９は通信回線２１０を介してネットワークＮＥＴに接続され、そのネットワークＮＥＴと内部のインターフェイスを司るインターフェイス（Ｉ／Ｆ）を、２１１は文字、数値、各種指示等の入力のためのキーを備えたキーボードを、２１２はカーソルの移動や範囲選択等をおこなうマウスを、２１３はＣＣＤをもちいた画像を撮影するデジタルスチルカメラを、２１４はドキュメント等を印刷するプリンタを、２１５は上記各部を接続するためのバスをそれぞれ示している。なお、２１３は、画像を光学的に読み取るスキャナでもよい。
【００５１】
また、図３は、実施の形態１による情報処理装置１００の構成を機能的に示すブロック図である。図３において、加工部１０２は、画像データ記憶部１０４のほか、操作指示部３０１と、画像登録部３０２と、画像削除部３０３と、画像変更部３０４と、画像検索部３０５と、画像貼付部３０６と、表示制御部３０７と、表示部３０８と、印刷制御部３０９等を含む構成である。
【００５２】
操作指示部３０１は、表示部３０８の表示内容にしたがって、画像登録部３０２、画像削除部３０３、画像変更部３０４、画像検索部３０５、画像貼付部３０６、表示制御部３０７、印刷制御部３０９の各部に操作の指示をおこなうものである。たとえば、キーボード２１１や、マウス２１２等のポインティングデバイスを含むものである。
【００５３】
画像登録部３０２は、入力部１０１から送信された画像データを、ファイル名等の所定のデータを付加することにより画像データファイルとして登録し、画像データ記憶部１０４へ記憶するものである。画像削除部３０３は、操作指示部３０１からの削除指示にしたがって、画像データ記憶部１０４にすでに記憶されている画像データを画像データ記憶部１０４から削除するものである。
【００５４】
画像変更部３０４は、操作指示部３０１からの変更指示にしたがって、画像データ記憶部１０４にすでに記憶されている画像データファイルの画像データに変更を加え、変更後の画像データを再度画像データ記憶部１０４に記憶するものである。画像変更部３０４の詳細については後述する。
【００５５】
画像検索部３０５は、操作指示部３０１からの検索指示にしたがって、画像データ記憶部１０４にすでに記憶されている画像データファイルのうち、所望の画像データファイルを検索するものである。また、画像貼付部３０６は、操作指示部３０１からの画像貼付指示にしたがって、画像データ記憶部１０４にすでに記憶されている画像データをドキュメントに貼付け処理をおこなうものである。
【００５６】
表示制御部３０７は、操作指示部３０１からの表示指示にしたがって、画像データ記憶部１０４に記憶された画像データファイルの画像や当該画像を縮小した縮小画像等を表示部３０８の表示画面上に表示させるように制御するものである。表示制御部３０７の詳細については後述する。
【００５７】
印刷制御部３０９は、操作指示部３０１からの印刷指示にしたがって、画像データある
いは画像付ドキュメント等の印刷データを出力部１０３へ送信する。また、出力部の操作制御、たとえば印刷枚数の設定等も操作指示部３０１からの操作指示にしたがっておこなう。
【００５８】
画像登録部３０２、画像削除部３０３、画像変更部３０４、画像検索部３０５、画像貼付部３０６、表示制御部３０７、印刷制御部３０９はそれぞれ、ＲＯＭ２０２、ＲＡＭ２０３またはハードディスク２０５、フレキシブルディスク２０７等の記録媒体に記録されたＯＳ、アプリケーションプログラム等のプログラムに記載された命令にしたがってＣＰＵ２０１等が命令処理を実行することにより、各部の機能を実現するものである。
【００５９】
また、表示部３０８は、表示制御部３０７による表示制御に基づき、画像や文字列を含むドキュメント等を表示するものである。たとえばディスプレイ２０８であり、ディスプレイ２０８はＣＲＴや液晶ディスプレイ等を含むものである。
【００６０】
つぎに、画像変更部３０４および表示制御部３０７の構成についてより詳細に説明する。図４は実施の形態１による情報処理装置の画像変更部３０４、表示制御部３０７およびそれら周辺部の構成を機能的に示すブロック図である。図４に示すように、画像変更部３０４は、文字列入力部４０１と、開始色設定部４０２と、終了色設定部４０３と、文字数計数部４０４と、文字色決定部４０５と、文字指定部４１０と、文字色変更部４１１とを含む構成となっている。
【００６１】
文字列入力部４０１は、複数の文字からなる文字列を入力する入力部である。また、開始色設定部４０２は、文字列入力部４０１により入力された文字列の最初の文字の色および／または当該文字の背景色を設定する設定部である。文字列の最初の文字とは、通常、横書き文書であれば左端の文字を示し、縦書き文書であれば上端の文字を示す。
【００６２】
終了色設定部４０３は、文字列入力部４０１により入力された文字列の最後の文字の色および／または当該文字の背景色を設定する設定部である。文字列の最後の文字とは、通常、横書き文書であれば右端の文字を示し、縦書き文書であれば上端の文字を示す。
【００６３】
文字数計数部４０４は、文字列入力手段４０１により入力された文字列の文字数を計数する。計数された結果は、図示は省略するが、文字数計数部４０４内にある記憶部に記憶される。
【００６４】
文字色決定部４０５は、開始色設定部４０２により設定された色から終了色設定部４０３により設定された色へ移り変わる度合いが文字数計数部４０４により計数した文字数に基づいて文字単位で均等に変化するように文字列のうちの最初の文字および最後の文字を除く文字の色および／または当該文字の背景色を決定する。
【００６５】
また、表示制御部３０７は、表示部３０８を制御して、文字列に開始色設定部４０２または終了色設定部４０３により設定された色または文字色決定部４０５により決定された色を着色して表示画面に表示する。
【００６６】
また、表示制御部３０７は、表示部３０８を制御して、文字の色および／または当該文字の背景色を変更するためのダイアログ・ボックス５００を表示するとともに、ダイアログ５００内に前記文字列を表示する。
【００６７】
また、文字指定部４１０は、表示制御部３０７によりダイアログ・ボックス５００内に表示された文字列の中の任意の文字を指定する。
【００６８】
文字色変更部４１１は、文字色決定部４０５により決定された文字の色および／または当該文字の背景色を文字単位で変更する。また、文字色変更部４１１は、文字指定部４１０により指定された文字の色および／または当該文字の背景色を変更する。
【００６９】
文字列入力部４０１、開始色設定部４０２、終了色設定部４０３、文字数計数部４０４、文字色決定部４０５、文字指定部４１０、文字色変更部４１１はそれぞれ、ＲＯＭ２０２、ＲＡＭ２０３またはハードディスク２０５、フレキシブルディスク２０７等の記録媒体に記録されたＯＳ、アプリケーションプログラム等のプログラムに記載された命令にしたがってＣＰＵ２０１等が命令処理を実行することにより、各部の機能を実現するものである。
【００７０】
つぎに、具体的な表示例をもちいて情報処理装置の操作の内容および表示画面の内容について説明する。図５〜図７は実施の形態１による情報処理装置の表示部３０８に表示されるダイアログ・ボックス５００の一例を示す説明図である。
【００７１】
図５において、ダイアログ・ボックス５００は、文字列入力部４０１としての文字列を入力するための文字列入力欄５０１と、文字列を回転させて表示する場合の角度を数値で入力する回転角度入力欄５０２と、文字列の文字色を設定するための文字色設定欄５０３と、文字列の背景色を設定するための背景色設定欄５０４と、文字列の文字の形状、すなわち、文字列における各文字の大きさについて設定するための形状設定欄５０５と、文字色・背景色を文字単位で設定する場合にチェックするチェックボックス５０６と、文字を個別に設定するための「文字個別設定」ボタン５０７と、文字列の表示位置に関する情報を表示するための「コントロール位置」ボタン５０８から構成される。
【００７２】
図５においては、文字列入力欄５０１には「出血大サービス」という文字列が入力されており、回転角度入力欄５０２には「０」が入力されている。回転角度入力欄５０２は文字列を回転させて表示する場合の角度を数値で入力するものであり、回転角度入力欄５０２に、たとえば「９０」を入力すると、文字列が時計回りに垂直に回転する。図５においては、「０」が入力されているので、「出血大サービス」という文字列は回転していない。
【００７３】
文字色設定欄５０３は、文字色の種類入力欄５１１と、開始色設定部４０２としての文字色の開始色入力欄５２１と、終了色設定部４０３としての文字色の終了色入力欄５３１からなる。また、各入力欄５１１，５２１，５３１の右端には下向き矢印ボタン５１２，５２２，５３２が設けられており、これらの下向き矢印ボタン５１２，５２２，５３２を押下することにより、各入力候補がポップアップ画面により表示される。
【００７４】
また、開始色入力欄５２１および終了色入力欄５３１に左側には、サンプルカラー表示欄５２３および５３３が設けられている。サンプルカラー表示欄５２３および５３３は、開始色入力欄５２１および終了色入力欄５３１に入力された色のサンプルを表示する。
【００７５】
図６は、種類入力欄５１１の右端の下向き矢印ボタン５１２を押下した状態を示している。図６において、ポップアップ画面６０１には、文字色の種類として「単色」と「グラデーション」の２種類が入力候補として表示されている。「単色」とは、文字列すべてが同一の一色となるように設定するものであり、したがって、図５にも示したとおり、「単色」が入力されると、終了色入力欄５３１はグレイアウトし、入力不可の状態となる。
【００７６】
一方、「グラデーション」とは、文字列の各文字の色が文字単位で段階的に移り変わるように設定するものである。「グラデーション」が入力されると、開始色入力欄５１１だけでなく、終了色入力欄５１２も入力可能の状態となる。ただし、開始色入力欄５１１と
終了色入力欄５１２に同一の色を入力すると、グラデーションにはならず、「単色」を入力した場合と同じ状態になる。
【００７７】
図７は、開始色入力欄５２１の右端の下向き矢印ボタン５２２を押下した状態を示している。図７おいて、ポップアップ画面７０１には、開始色として「黒」「青」、「緑」、「シアン」、「赤」、「マゼンダ」、「黄色」、「白」の８色が入力候補として表示されている。また、ポップアップ画面７０１の右端にはスクロールバー７０２が設けられており、上記８色以上の入力候補がある場合に、スクロールバー７０２をスクロールさせることにより、他の入力候補を表示させることができる。
【００７８】
つぎに、文字数計数部４０４による文字数計数処理および文字色決定部４０５による文字色決定処理の内容について説明する。図８は、実施の形態１による情報処理装置１００の文字数計数部４０４の文字数計数処理および文字色決定部４０５の文字色決定処理の原理を示す説明図である。図８においては、文字列：「出血大サービス」、種類：「グラデーション」、開始色：「白」、終了色：「黒」が設定されているものとする。文字列「出血大サービス」の各文字の下に括弧書きで示されている数値は、便宜上グラデーションの度合いを数値化して示したものであり、白色を「０」パーセントとし黒色を「１００」パーセントとする。
【００７９】
文字数計数部４０４は、文字列の数を計数する。上記の場合、文字列「出血大サービス」は文字数が７文字であるから、文字計数部４０４は「７」を計数する。つぎに、文字色決定部４０５は、文字色を決定する際、グラデーションの度合いを均等にするために、上記１００を「６（７−１）」で割って、「１６．６６６．．．」パーセントを得る。この割合で、文字単位でグラデーションの度合いを決定する。具体的には、文字「血」には、「１６．６６６．．．」パーセントの小数点以下２桁を四捨五入して「１６．７」パーセントのグラデーションの度合いによる色を割り当てる。
【００８０】
同様にして、文字「大」には「３３．３」パーセント、文字「サ」には「４９．０」パーセント、文字「ー」には「６６．７」パーセント、文字「ビ」には「８３．３」パーセントのグラデーションの度合いによる色をそれぞれ割り当てる。
【００８１】
このように、開始色と終了色を設定することにより、文字列の文字数で開始色と終了色との間のグラデーションの度合いを均等割りしてそれぞれ均等割りした色を割り当てることにより各文字の色を決定する。
【００８２】
つぎに、背景色設定欄５０４について説明する。背景色設定欄５０４は、文字色設定欄５０３と同様に、背景色の種類入力欄９１１と、開始色設定部４０２としての背景色の開始色入力欄９２１と、終了色設定部４０３としての背景色の終了色入力欄９３１からなる。また、各入力欄９１１，９２１，９３１の右端には下向き矢印ボタン９１２，９２２，９３２が設けられており、これらの下向き矢印ボタン５１２，９２２，９３２を押下することにより、各入力候補がポップアップ画面により表示される。
【００８３】
また、開始色入力欄９２１および終了色入力欄９３１に左側には、サンプルカラー表示欄９２３および９３３が設けられている。サンプルカラー表示欄９２３および９３３は、開始色入力欄９２１および終了色入力欄９３１に入力された色のサンプルを表示する。
【００８４】
図１０は、実施の形態１による情報処理装置１００の表示部３０８に表示されるダイアログ・ボックスの別の一例を示す説明図である。図１０においては、背景色を設定した場合の文字列の表示を示している。背景は通常文字を囲む四角形で表されるが、これに限定するものではなく、円や他の図形であってもよい。また、これらの図形は操作者が指定す
ることもできる。
【００８５】
文字の色だけでなく、文字の背景色も変化させることによりより効果的な文字列の表示をおこなうことができる。
【００８６】
つぎに、チェックボックス５０６および「文字個別設定」ボタン５０７の内容について説明する。チェックボックス５０６をチェックすることにより、「文字個別設定」ボタン５０７の押下が可能になる。「文字個別設定」ボタン５０７を押下すると、図１１に示す文字個別設定ダイアログ・ボックス１１００がオープンする。
【００８７】
ダイアログ・ボックス１１００は、文字列表示欄１１０１と、文字列表示欄を移動させるためのスクロールバー１１０２と、文字色入力欄１１１１と、背景色入力欄１１２１と、フォント設定ボタン１１３１と、「閉じる」ボタン１１４１とからなる。
【００８８】
文字列表示欄１１０１は、ダイアログ・ボックス５００の文字列入力欄５０１により入力された文字列が表示される。文字列は通常１２８文字まで入力できることから、表示しきれない文字を表示させる場合はスクロールバー１１０２をもちいる。文字列表示欄１１０１は、１文字ごとに罫線で区切られており、罫線で区切られた文字の領域内にカーソルを移動させ、クリックすることにより、文字を指定する。
【００８９】
指定された文字の色を変更するための文字色入力欄１１１１、文字色入力欄の右端の下向き矢印ボタン１１１２、文字色入力欄１１１の左側のサンプルカラー表示欄１１１３および指定された文字の背景色を変更するための背景色入力欄１１２１、背景色入力欄１１２１の右端の下向き矢印ボタン１１２２、背景色入力欄１１２１の左側のサンプルカラー表示欄１１２３については、文字色設定欄５０３の開始色入力欄５２１、下向き矢印ボタン５２２、サンプルカラー表示欄５２３と同様の内容なので、その説明は省略する。
【００９０】
フォント設定ボタン１１３１は、指定された文字のフォントの種類、サイズ等を変更するためのものである。具体的には、フォント設定ボタン１１３１を押下することにより、図示は省略するが、フォント変更ダイアログ・ボックスがオープンし、そのダイアログ・ボックスをもちいて、指定された文字のフォントを変更する。
【００９１】
「閉じる」ボタン１１４１は、文字個別設定処理が終了した場合、または、文字個別設定処理を途中で中断したい場合に押下する。「閉じる」ボタン１１４１を押下することにより、文字個別設定ダイアログ・ボックス１１００がクローズする。
【００９２】
文字個別設定により設定された文字列の一例を図１２に示す。図１２において（ａ）は、文字列「出血大サービス」の全体をグラデーションにて着色した後、文字「血」だけを上記グラデーションとは無関係の色（たとえば、血を連想させる赤）に変更したことを示している。このように、文字列全体としてはグラデーションを施すとともに特定の文字だけはグラデーションとは無関係に別の色に着色することができる。
【００９３】
また、図１２において（ｂ）は、文字「大」の背景色のみを他の背景色とは異なる色に変更したものである。このように背景色も文字色と同様に、文字列全体の背景色にグラデーションを施すとともに特定の文字の背景色だけはグラデーションとは無関係に別の色に着色することができる。
【００９４】
つぎに、「コントロール位置」ボタン５０８について説明する。「コントロール位置」ボタン５０８を押下することにより、図１３におけるコントロール位置ダイアログ・ボックス１３００がオープンする。コントロール位置ダイアログ・ボックス１３００は、左位
置入力欄１３０１と、上位置入力欄１３０２と、幅入力欄１３０３と、高さ入力欄１３０４と、「設定」ボタン１３０５と、「キャンセル」ボタン１３０６とからなる。
【００９５】
各入力欄１３０１〜１３０４には、現在表示されている文字列の位置・幅・高さが自動的に入力されている。各入力欄１３０１〜１３０４に直接数値を入力することにより、上記文字列の位置・幅・高さを変更することができる。入力が終了後、「設定」ボタン１３０５を押下することにより、設定が終了する。また、途中で処理を中断するときは、「キャンセル」ボタン１３０６を押下する。「設定」ボタン１３０５または「キャンセル」ボタン１３０６のいずれのボタンが押下されても、コントロール位置ダイアログ・ボックス１３００はクローズされる。
【００９６】
つぎに、画像変更部３０４の一連の処理の手順を説明する。図１４は、実施の形態１による情報処理装置１００の画像変更部３０４の処理の手順を示すフローチャートである。図１４のフローチャートにおいて、まず、対象となる文字列の入力があったか否かを判断する（ステップＳ１４０１）。ここで、文字列の入力を待って、文字列の入力があった場合（ステップＳ１４０１肯定）は、入力された文字列の文字数を取得する（ステップＳ１４０２）とともに、入力された文字列を表示する（ステップＳ１４０３）。
【００９７】
つぎに、文字列が変更されたか否かを判断し（ステップＳ１４０４）、変更された場合（ステップＳ１４０４肯定）は、ステップＳ１４０２へ移行し、ステップＳ１４０２〜Ｓ１４０４の処理を繰り返しおこなう。
【００９８】
ステップＳ１４０４において、文字列の変更がない場合（ステップＳ１４０４否定）は、つぎに、文字色設定欄５０３の文字色の種類入力欄５１１において「グラデーション」が選択されたか否かを判断する（ステップＳ１４０５）。「グラデーション」が選択された場合（ステップＳ１４０５肯定）は、開始色入力欄５２１の色の変更指示があったか否かを判断する（ステップＳ１４０６）。
【００９９】
色の変更指示がなかった場合（ステップＳ１４０６否定）は、なにもせずに、ステップＳ１４０８へ移行する。一方、色の変更指示があった場合（ステップＳ１４０６肯定）は、文字色の決定処理をおこなう（ステップＳ１４０７）。すなわち、開始色が変更になることにより、文字列の各文字の色が異なるため、変更された色に基づいて各文字の文字色を決定する。その後、ステップＳ１４０８へ移行する。
【０１００】
ステップＳ１４０８において、終了色入力欄５３１の色の変更指示があったか否かを判断する。色の変更指示がなかった場合（ステップＳ１４０８否定）は、なにもせずに、ステップＳ１４０３へ移行して変更後の状態で再表示する（ステップＳ１４０３）。一方、色の変更指示があった場合（ステップＳ１４０８肯定）は、文字色の決定処理をおこなう（ステップＳ１４０９）。すなわち、終了色が変更になることにより、開始色が変更になるのと同様に、文字列の各文字の色が異なるため、変更された色に基づいて各文字の文字色を決定する。その後、ステップＳ１４０３へ移行して変更後の状態で再表示する（ステップＳ１４０３）。
【０１０１】
つぎに、文字個別設定の処理の内容について説明する。図１５は、実施の形態１による情報処理装置１００の画像変更部３０４の別の処理、すなわち文字個別設定処理の手順を示すフローチャートである。図１５のフローチャートにおいて、まず文字個別設定ダイアログ・ボックス１１００内の文字列表示欄１１０１に文字列を表示する（ステップＳ１５０１）。
【０１０２】
つぎに、「閉じる」ボタン１１４１が押下されたか否かを判断し（ステップＳ１５０２
）、押下されていなければ（ステップＳ１５０２否定）、文字列表示欄１１０１内の文字が選択されたか否かを判断する（ステップＳ１５０３）。文字が指定されていない場合（ステップＳ１５０３否定）は、ステップＳ１５０２へ移行する。
【０１０３】
一方、ステップＳ１５０３において、文字が指定された場合（ステップＳ１５０３肯定）は、文字色の変更指示があったか否かを判断する（ステップＳ１５０４）。ここで、文字色の変更指示がなかった場合（ステップＳ１５０４否定）は、なにもおこなわずに、ステップＳ１５０６へ移行する。一方、文字色の変更指示があった場合（ステップＳ１５０４肯定）は、文字色の変更処理をおこなった（ステップＳ１５０５）のち、ステップＳ１５０６へ移行する。
【０１０４】
ステップＳ１５０６において、ステップＳ１５０４と同様に、背景色の変更指示があったか否かを判断し、背景色の変更指示がなかった場合（ステップＳ１５０６否定）は、なにもおこなわずに、ステップＳ１５０８へ移行する。一方、背景色の変更指示があった場合（ステップＳ１５０６肯定）は、背景色の変更処理をおこなった（ステップＳ１５０７）のち、ステップＳ１５０８へ移行する。
【０１０５】
ステップＳ１５０８において、ステップＳ１５０４、ステップ１５０６と同様に、フォントの変更指示があったか否かを判断し、フォントの変更指示がなかった場合（ステップＳ１５０８否定）は、なにもおこなわずに、ステップＳ１５０１へ移行し、再表示をする（ステップＳ１５０１）。一方、フォントの変更指示があった場合（ステップＳ１５０８肯定）は、背景色の変更処理をおこなった（ステップＳ１５０９）のち、ステップＳ１５０１へ移行し、再表示をする（ステップＳ１５０１）。
【０１０６】
その後、同一の処理を繰り返しおこなうが、ステップＳ１５０２において、「閉じる」ボタン１１４１が押下された場合は、すべての処理は終了する。
【０１０７】
以上説明したように、実施の形態１によれば、各文字の色は単色のままで、文字列全体としてグラデーション効果が生じるようなグラデーション効果を簡易な操作でおこなうことができる。また、文字指定部４１０および文字色変更部４１１により、文字列全体としてグラデーション効果を保ちつつ、強調したい文字のみを別の色等で着色することができる。
【０１０８】
また、ダイアログ・ボックス１１００内に文字列を表示しそこから文字を指定をすることができるので、ダイアログ・ボックスの切替等の煩雑さを解消し、強調したい文字のみを別の色等で着色操作をより簡易にすることができる。
【０１０９】
（実施の形態２）
さて、上述した実施の形態１では、文字列の文字数、開始色と終了色から文字色または背景色について色の決定をおこなったが、以下に説明する実施の形態２のように、文字列の文字数、最小文字サイズと最大文字サイズから文字のサイズ、文字列の配置等から文字サイズの決定をおこなうようにしてもよい。
【０１１０】
この発明の実施の形態２による情報処理装置を含む画像付ドキュメント作成システム全体および情報処理装置１００のハードウエア構成については実施の形態１と同様であるので、その説明は省略する。また、情報処理装置１００のうち画像変更部３０４、表示制御部３０７を除く他の各部についても実施の形態１と同様の構成であるので、その説明も省略する。
【０１１１】
つぎに、画像変更部３０４について説明する。図１６は、この発明の実施の形態２によ
る情報処理装置の画像変更部３０４およびその周辺部の構成を機能的に示すブロック図である。図１６に示すように、画像変更部３０４は、文字列入力部１６０１と、最小文字サイズ設定部１６０２と、最大文字サイズ設定部１６０３と、文字数計数部１６０４と、文字サイズ決定部１６０５と、配置パターン設定部１６１０とを含む構成となっている。なお、文字列入力部１６０１および文字数計数部１６０４は、実施の形態１の文字列入力部４０１および文字数計数部４０４と同様の構成であるので、その説明は省略する。
【０１１２】
最小文字サイズ設定部１６０２は、文字列入力部１６０１により入力された文字列の最小文字サイズおよび当該最小サイズとなる文字を設定する。また、最大文字サイズ設定部１６０３は同様に、文字列入力部１６０１により入力された文字列の最大文字サイズおよび当該最大サイズとなる文字を設定する。
【０１１３】
文字数計数部１６０４は、最小サイズ設定部１６０２により設定された最小サイズとなる文字から最大サイズ設定部１６０２により設定された最大サイズとなる文字までの文字数を計数する。
【０１１４】
文字サイズ決定部１６０５は、最小文字サイズ設定部１６０２により設定されたサイズから最大文字サイズ設定部１６０３により設定されたサイズへ移り変わる度合いが文字数計数部１６０４により計数した文字数に基づいて文字単位で均等に変化するように前記文字列のうちの前記最小文字サイズの文字および前記最大文字サイズの文字を除く文字のサイズを決定する。
【０１１５】
また、配置パターン設定部１６１０は、前記文字列の各文字の文字サイズをどのような配置で変更するかの配置パターンを設定する。
【０１１６】
文字列入力部１６０１、最小文字サイズ設定部１６０２、最大文字サイズ設定部１６０３、文字数計数部１６０４、文字サイズ決定部１６０５、配置パターン設定部１６１０はそれぞれ、ＲＯＭ２０２、ＲＡＭ２０３またはハードディスク２０５、フレキシブルディスク２０７等の記録媒体に記録されたＯＳ、アプリケーションプログラム等のプログラムに記載された命令にしたがってＣＰＵ２０１等が命令処理を実行することにより、各部の機能を実現するものである。
【０１１７】
さらに、表示制御部３０７は、表示部３０８を制御して、前記文字列の各文字を前記最小文字サイズ設定部１６０２または最大文字サイズ設定部１６０３により設定されたサイズまたは文字サイズ決定部１６０５により決定されたサイズに変更して表示する。
【０１１８】
つぎに、形状設定欄５０５の内容について説明する。図１７は、実施の形態２による情報処理装置１００の表示部３０８に表示されるダイアログ・ボックス５００の一例を示す説明図である。ダイアログ・ボックス５００の形状設定欄５０５は、配置パターン１７０１〜１７０８までの配置パターンが表示される配置パターン表示欄と、最小文字サイズ変更コントローラ１７１１と、最大文字サイズ変更コントローラ１７２１，フォント変更設定ボタン１７３１とからなる。
【０１１９】
配置パターン表示欄には、図案化された配置パターンが表示されており、所望の配置パターンの表示領域へカーソルを移動させ、クリックすることにより配置パターンを選択することができる。選択された配置パターンは、他の配置パターンと区別するためにその領域が反転表示される。
【０１２０】
最小文字サイズ変更コントローラ１７１１は、つまみの部分をドラッグして左右に移動させることにより、文字のサイズをアナログ的に変更することができる。具体的には、左
側へ移動させると文字サイズは小さくなり、反対に右側へ移動させると文字サイズは大きくなる。最大文字サイズ変更コントローラ１７２１も最小文字サイズ変更コントローラ１７１１と同様の構成であるので、その説明は省略する。
【０１２１】
また、フォント設定ボタン１７３１は、実施の形態１のフォント設定ボタン１１３１と同様の構成であるので、その説明は省略する。
【０１２２】
図１８〜図２４はそれぞれ（ａ）がダイアログ・ボックス５００を示しており、（ｂ）が配置パターンに応じた文字列の表示の状態を示している。図１８において、配置パターン１７０２が選択されており、配置パターン１７０２に対応して文字列が表示されている。
【０１２３】
図１８（ｂ）において最小文字サイズである文字「出」を「０」パーセントとし、最大文字サイズである文字「ス」を「１００」パーセントとすると、文字「血」，「大」，「サ」，「ー」，「ビ」は、それぞれ、「１６．６６６．．．」パーセントの割合でサイズが大きくなっている。「１６．６６６．．．」パーセントは、実施の形態１と同様に、文字数計数部１６０４が計数した文字列の文字数に基づいて算出した均等な割合である。
【０１２４】
また、図１９において、配列パターン１７０３が選択されており、配列パターン１７０３に対応して文字列が表示されている。図１９（ｂ）において、最小文字サイズは文字列の両端の文字「出」と文字「ス」であり、最大文字サイズは文字列の中央の文字「サ」である。したがって、最小文字サイズを「０」パーセントとし、最大文字サイズを「１００」パーセントとすると、文字列のその他の文字は、文字「血」および文字「ビ」が「３３．３」パーセント、文字「大」および文字「ー」が「６６．７」パーセントとなる。
【０１２５】
このように、最小文字サイズに該当する文字から最大文字サイズに該当する文字までの文字数を計数し、その文字数に基づいて算出した均等な割合となるように他の文字のサイズを決定する。
【０１２６】
図２０は配置パターン１７０４を選択した場合を、図２１は配置パターン１７０５を選択した場合を、図２２は配置パターン１７０６を選択した場合を、図２３は配置パターン１７０７を選択した場合を、図２４は配置パターン１７０８を選択した場合をそれぞれ示しており、それらの内容は、図１８，図１９と同様であるので、それらの説明は省略する。
【０１２７】
つぎに、画像変更部３０４の一連の処理の手順を説明する。図２５は、実施の形態２による情報処理装置１００の画像変更部３０４の処理の手順を示すフローチャートである。図２５のフローチャートにおいて、まず、対象となる文字列の入力があったか否かを判断する（ステップＳ２５０１）。ここで、文字列の入力を待って、文字列の入力があった場合（ステップＳ２５０１肯定）は、入力された文字列の文字数を取得する（ステップＳ２５０２）とともに、入力された文字列を表示する（ステップＳ２５０３）。
【０１２８】
つぎに、文字列が変更されたか否かを判断し（ステップＳ２５０４）、変更された場合（ステップＳ２５０４肯定）は、ステップＳ２５０２へ移行し、ステップＳ２５０２〜Ｓ２５０４の処理を繰り返しおこなう。
【０１２９】
ステップＳ２５０４において、文字列の変更がない場合（ステップＳ２５０４否定）は、つぎに、配置パターン変更の指示があったか否かを判断する（ステップＳ２５０５）。ここで、配置パターンの変更指示があった場合（ステップＳ２５０５肯定）は、変更指示があった配置パターンに基づいて配置変更処理をおこない（ステップＳ２５０６）、一方
、配置パターンの変更指示がなかった場合（ステップＳ２５０５否定）は、なにもおこなわず、ステップＳ２５０７へ移行する。
【０１３０】
つぎに、最小文字サイズの変更指示があったか否かを判断する（ステップＳ２５０７）。変更指示がなかった場合（ステップＳ２５０７否定）は、なにもおこなわずに、ステップＳ２５０９へ移行する。
【０１３１】
一方、ステップＳ２５０７において、変更指示があった場合（ステップＳ２５０７肯定）は、変更された最小文字サイズに基づいて、他の文字の文字サイズを決定し（ステップＳ２５０８）、その後、ステップＳ２５０９へ移行する。
【０１３２】
つぎに、最小文字サイズの場合と同様に、最大文字サイズの変更指示があったか否かを判断する（ステップＳ２５０９）。変更指示がなかった場合（ステップＳ２５０９否定）は、なにもおこなわずに、ステップＳ２５０３へ移行し、再表示をおこなう（ステップＳ２５０３）。
【０１３３】
一方、ステップＳ２５０９において、変更指示があった場合（ステップＳ２５０９肯定）は、変更された最大文字サイズに基づいて、他の文字の文字サイズを決定し（ステップＳ２５１０）、その後、ステップＳ２５０３へ移行し、再表示をおこなう（ステップＳ２５０３）。
【０１３４】
以上説明したように、実施の形態２によれば、文字の形状はそのままで文字のサイズのみを均等に変化させることで、文字の見やすさを保持したまま、文字列全体として印象的な配置とすることができる。また、配置パターン１７０１〜１７０８を選択するという簡易な操作で文字の配置を自由にレイアウトすることができる。
【図面の簡単な説明】
【０１３５】
【図１】この発明の実施の形態１による情報処理装置を含む画像付ドキュメント作成システム全体の構成を機能的に示す説明図である。
【図２】実施の形態１による情報処理装置のハードウエア構成を示すブロック図である。
【図３】実施の形態１による情報処理装置の構成を機能的に示すブロック図である。
【図４】実施の形態１による情報処理装置の画像変更部およびそれらの周辺部の構成を機能的に示すブロック図である。
【図５】実施の形態１による情報処理装置の表示部に表示されるダイアログ・ボックスの一例を示す説明図である。
【図６】実施の形態１による情報処理装置の表示部に表示されるダイアログ・ボックスの別の一例を示す説明図である。
【図７】実施の形態１による情報処理装置の表示部に表示されるダイアログ・ボックスの別の一例を示す説明図である。
【図８】実施の形態１による情報処理装置の表示部に表示される文字列の一例を示す説明図である。
【図９】実施の形態１による情報処理装置の表示部に表示されるダイアログ・ボックスの別の一例を示す説明図である。
【図１０】実施の形態１による情報処理装置の表示部に表示される文字列の別の一例を示す説明図である。
【図１１】実施の形態１による情報処理装置の表示部に表示される別のダイアログ・ボックスの一例を示す説明図である。
【図１２】実施の形態１による情報処理装置の表示部に表示される文字列の別の一例を示す説明図である。
【図１３】実施の形態１による情報処理装置の表示部に表示される別のダイアログ・ボックスの一例を示す説明図である。
【図１４】実施の形態１による情報処理装置の画像変更部の処理の手順を示すフローチャートである。
【図１５】実施の形態１による情報処理装置の画像変更部の別の処理の手順を示すフローチャートである。
【図１６】この発明の実施の形態２による情報処理装置の画像変更部およびそれらの周辺部の構成を機能的に示すブロック図である。
【図１７】実施の形態２による情報処理装置の表示部に表示されるダイアログ・ボックスの一例を示す説明図である。
【図１８】実施の形態２による情報処理装置の表示部に表示されるダイアログ・ボックスの別の一例を示す説明図である。
【図１９】実施の形態２による情報処理装置の表示部に表示されるダイアログ・ボックスの別の一例を示す説明図である。
【図２０】実施の形態２による情報処理装置の表示部に表示されるダイアログ・ボックスの別の一例を示す説明図である。
【図２１】実施の形態２による情報処理装置の表示部に表示されるダイアログ・ボックスの別の一例を示す説明図である。
【図２２】実施の形態２による情報処理装置の表示部に表示されるダイアログ・ボックスの別の一例を示す説明図である。
【図２３】実施の形態２による情報処理装置の表示部に表示されるダイアログ・ボックスの別の一例を示す説明図である。
【図２４】実施の形態２による情報処理装置の表示部に表示されるダイアログ・ボックスの別の一例を示す説明図である。
【図２５】実施の形態２による情報処理装置の画像変更部の処理の手順を示すフローチャートである。
【符号の説明】
【０１３６】
１００  情報処理装置
１０１  入力部
１０２  加工部
１０３  出力部
１０４  画像データ記憶部
２０１  ＣＰＵ
２０５  ＨＤ
２０７  ＦＤ
２０８  ディスプレイ
２１１  キーボード
２１２  マウス
２１３  デジタルスチルカメラ
３０１  操作指示部
３０４  画像変更部
３０７  表示制御部
３０８  表示部
４０１，１６０１  文字列入力部
４０２  開始色設定部
４０３  終了色設定部
４０４，１６０４  文字数計数部
４０５  文字色決定部
４１０  文字指定部
４１１  文字色変更部
５００，１１００，１３００  ダイアログ・ボックス
１６０２  最小文字サイズ設定部
１６０３  最大文字サイズ設定部
１６０５  文字サイズ決定部
１６１０  配置パターン設定部
７００，２３００  貼り合わせ処理ウインドウ
７０１，２３０１  貼り合わせ作業領域
１６２１，２３６１〜２３６４  接続線
１５０５  接続線描画部
１８０６  結合点指定解除部
２２０７  焦点距離設定部
２２０８  画像補正部
２３０２  モード切替部
２３０３  配列切替部
２３０４  ズーム切替部
２３０５  カメラ切替部